(57)【特許請求の範囲】
【請求項１】
撮像手段と、
前記撮像手段で撮像されたスルー画像とともに表示する情報表示の表示種別を、複数の表示種別のうちいずれかに設定する表示種別設定手段と、
多重露出撮影モードに設定するモード設定手段と、
前記モード設定手段で前記多重露出撮影モードに設定され、スルー画像に多重合成すべき画像が取得できた場合に、表示種別を多重露出撮影モード用の表示種別に変更するように制御する制御手段と、を有し、
前記制御手段は、前記モード設定手段で前記多重露出撮影モードに設定される前に記録されていた画像が該多重露出撮影モードで撮影する画像に多重合成するベース画像として設定されている場合には、前記モード設定手段で該多重露出撮影モードに設定されたことに応じて表示種別を前記多重露出撮影モード用の表示種別に変更するように制御することを特徴とする撮像装置。
【請求項２】
前記制御手段は、前記モード設定手段で前記多重露出撮影モードに設定され、スルー画像に多重合成すべき画像がない場合は前記表示種別設定手段で設定された表示種別を変更しないことを特徴とする請求項１に記載の撮像装置。
【請求項３】
前記制御手段は、前記ベース画像が設定されていない場合には、前記モード設定手段で前記多重露出撮影モードに設定された後、１枚目の撮影が行われたことに応じて表示種別を前記多重露出撮影モード用の表示種別に変更するように制御することを特徴とする請求項１に記載の撮像装置。
【請求項４】
撮像手段と、
前記撮像手段で撮像されたスルー画像とともに表示する情報表示の表示種別を、複数の表示種別のうちいずれかに設定する表示種別設定手段と、
多重露出撮影モードに設定するモード設定手段と、
前記モード設定手段で前記多重露出撮影モードに設定され、スルー画像に多重合成すべき画像が取得できた場合に、表示種別を多重露出撮影モード用の表示種別に変更するように制御する制御手段と、を有し、
前記多重露出撮影モード用の表示種別は、シャッター速度、絞り値、露出補正値、記録媒体への残り撮影可能枚数、ＡＦ方式、撮影画像のサイズ、輝度ヒストグラム、水準器に基づく傾き情報を表示しない表示種別であることを特徴とする撮像装置。
【請求項５】
前記多重露出撮影モード用の表示種別は、多重露出撮影予定枚数、多重露出撮影完了枚数、多重露出撮影予定枚数までの残り枚数、多重露出撮影モードに設定されていることを示すアイコンの少なくとも一つを表示する表示種別であることを特徴とする請求項１乃至４のいずれか１項に記載の撮像装置。
【請求項６】
前記制御手段は、前記モード設定手段による前記多重露出撮影モードの設定が解除されると、表示種別を、前記多重露出撮影モード用の表示種別から他の表示種別に変更するように制御することを特徴とする請求項１乃至５のいずれか１項に記載の撮像装置。
【請求項７】
前記制御手段は、前記モード設定手段による前記多重露出撮影モードの設定が解除されると、表示種別を、前記多重露出撮影モード用の表示種別に変更される前に前記表示種別設定手段で設定されていた表示種別に変更することを特徴とする請求項６に記載の撮像装置。
【請求項８】
前記制御手段は、前記モード設定手段による前記多重露出撮影モードの設定が解除される直前の表示種別が前記多重露出撮影モード用の表示種別であり、かつ、前記モード設定手段による前記多重露出撮影モードの設定が解除される前に、表示種別が前記多重露出撮影モード用の表示種別とは異なる表示種別に変更されたことがある場合には、前記モード設定手段による前記多重露出撮影モードの設定が解除されると、表示種別を、予め定められた表示種別に変更することを特徴とする請求項６に記載の撮像装置。
【請求項９】
前記制御手段は、前記モード設定手段による前記多重露出撮影モードの設定が解除される前の表示種別が、前記多重露出撮影モード用の表示種別でなかった場合は、前記モード設定手段による前記多重露出撮影モードの設定が解除されても表示種別を変更しないように制御することを特徴とする請求項６乃至８のいずれか１項に記載の撮像装置。
【請求項１０】
撮像手段と、
前記撮像手段で撮像されたスルー画像とともに表示する情報表示の表示種別を、多重露出撮影モード用の表示種別を含む複数の表示種別のうちいずれかに設定する表示種別設定手段と、
多重露出撮影モードに設定するモード設定手段と、
前記モード設定手段による前記多重露出撮影モードの設定が解除された際に、表示種別が前記多重露出撮影モード用の表示種別であった場合には他の表示種別に変更し、表示種別が前記多重露出撮影モード用の表示種別でなかった場合には表示種別を変更しないように制御する制御手段と
を有することを特徴とする撮像装置。
【請求項１１】
前記制御手段は、前記モード設定手段による前記多重露出撮影モードの設定が解除されると、表示種別を、前記多重露出撮影モード用の表示種別に変更される前に前記表示種別設定手段で設定されていた表示種別に変更することを特徴とする請求項１０に記載の撮像装置。
【請求項１２】
前記制御手段は、前記モード設定手段による前記多重露出撮影モードの設定が解除される直前の表示種別が前記多重露出撮影モード用の表示種別であり、かつ、前記モード設定手段による前記多重露出撮影モードの設定が解除される前に、表示種別が前記多重露出撮影モード用の表示種別とは異なる表示種別に変更されたことがある場合には、前記モード設定手段による前記多重露出撮影モードの設定が解除されると、表示種別を、予め定められた表示種別に変更することを特徴とする請求項１０に記載の撮像装置。
【請求項１３】
撮像手段を有する撮像装置の制御方法であって、
前記撮像手段で撮像されたスルー画像とともに表示する情報表示の表示種別を、複数の表示種別のうちいずれかに設定する表示種別設定ステップと、
多重露出撮影モードに設定するモード設定ステップと、
前記モード設定ステップで前記多重露出撮影モードに設定され、スルー画像に多重合成すべき画像が取得できた場合に、表示種別を多重露出撮影モード用の表示種別に変更するように制御する制御ステップと、を有し、
前記制御ステップでは、前記多重露出撮影モードに設定される前に記録されていた画像が該多重露出撮影モードで撮影する画像に多重合成するベース画像として設定されている場合には、前記多重露出撮影モードに設定されたことに応じて表示種別を前記多重露出撮影モード用の表示種別に変更するように制御することを特徴とする撮像装置の制御方法。
【請求項１４】
撮像手段を有する撮像装置の制御方法であって、
前記撮像手段で撮像されたスルー画像とともに表示する情報表示の表示種別を、複数の表示種別のうちいずれかに設定する表示種別設定ステップと、
多重露出撮影モードに設定するモード設定ステップと、
前記モード設定ステップで前記多重露出撮影モードに設定され、スルー画像に多重合成すべき画像が取得できた場合に、表示種別を多重露出撮影モード用の表示種別に変更するように制御する制御ステップと、を有し、
前記多重露出撮影モード用の表示種別は、シャッター速度、絞り値、露出補正値、記録媒体への残り撮影可能枚数、ＡＦ方式、撮影画像のサイズ、輝度ヒストグラム、水準器に基づく傾き情報を表示しない表示種別であることを特徴とする撮像装置の制御方法。
【請求項１５】
撮像手段を有する撮像装置の制御方法であって、
前記撮像手段で撮像されたスルー画像とともに表示する情報表示の表示種別を、多重露出撮影モード用の表示種別を含む複数の表示種別のうちいずれかに設定する表示種別設定ステップと、
多重露出撮影モードに設定するモード設定ステップと、
前記モード設定ステップによる前記多重露出撮影モードの設定が解除された際に、表示種別が前記多重露出撮影モード用の表示種別であった場合には他の表示種別に変更し、表示種別が前記多重露出撮影モード用の表示種別でなかった場合には表示種別を変更しないように制御する制御ステップと
を有することを特徴とする撮像装置の制御方法。
【請求項１６】
コンピュータを、請求項１乃至１２のいずれか１項に記載された撮像装置の各手段として機能させるプログラム。
【請求項１７】
コンピュータを、請求項１乃至１２のいずれか１項に記載された撮像装置の各手段として機能させるプログラムを格納したコンピュータが読み取り可能な記録媒体。
【発明の詳細な説明】
【技術分野】
【０００１】
本発明は、撮像装置に関し、特に複数の撮影画像を多重合成可能な撮像装置に関するものである。
【背景技術】
【０００２】
従来、複数のデジタル画像信号を加算処理することにより、多重露出撮影を行う技術がある。特許文献１には、多重撮影モードにおいて、撮影済み画像とスルー画像とを多重した画像を表示し、被写体が合成される位置を確認したうえで多重露光撮影をできるようにすることが開示されている。
【０００３】
一方、撮影待機状態で表示されるスルー画像に、現在設定されている撮影条件や撮影の補助のための情報を重畳表示するデジタルカメラが知られている。特許文献２には、スルー画像に重畳して表示すべき情報が表示モード毎に異なり、を、単一の操作部材に対する操作に応じて表示モードを切り換えることが開示されている。
【先行技術文献】
【特許文献】
【０００４】
【特許文献１】特開２００３−１２５２６６号公報
【特許文献２】特開２００７−２４３９２３号公報
【発明の概要】
【発明が解決しようとする課題】
【０００５】
特許文献２に記載されたような情報表示の表示モードの１つとして多重撮影モード用の表示モードを設け、特許文献１のように撮影済み画像とスルー画像を多重した画像を表示している際に多重撮影モード用の表示モードでの表示を行うことが考えられる。そして、多重撮影モードに遷移した場合に、表示モードを自動的に多重撮影モード用の表示モードに変更すれば、ユーザーの操作手順を減らすことができる。しかしながら、多重撮影モードに遷移してから１枚目の撮影前にはまだスルー画像に重ね合わせるべき撮影済み画像が存在せず、スルー画像に他の画像を多重した画像は表示されない。従って、多重撮影モードであっても１枚目の撮影前には表示モードが多重撮影モード用の表示モードでは好適でない場合がある。また、多重撮影モードを終了したら多重撮影モードのための表示モードでない表示モードに遷移することが好ましい。
【０００６】
本発明は上記課題に鑑み、多重露出撮影において、撮影状況に応じてより好適な表示種別での情報表示を行う撮像装置を提供することを目的とする。
【課題を解決するための手段】
【０００７】
上記の課題を解決するために、本発明の撮像装置は、
撮像手段と、前記撮像手段で撮像されたスルー画像とともに表示する情報表示の表示種別を、複数の表示種別のうちいずれかに設定する表示種別設定手段と、多重露出撮影モードに設定するモード設定手段と、前記モード設定手段で前記多重露出撮影モードに設定され、スルー画像に多重合成すべき画像が取得できた場合に、表示種別を多重露出撮影モード用の表示種別に変更するように制御する制御手段と、を有し、前記制御手段は、前記モード設定手段で前記多重露出撮影モードに設定される前に記録されていた画像が該多重露出撮影モードで撮影する画像に多重合成するベース画像として設定されている場合には、前記モード設定手段で該多重露出撮影モードに設定されたことに応じて表示種別を前記多重露出撮影モード用の表示種別に変更するように制御することを特徴とする。
または、本発明の撮像装置は、
撮像手段と、前記撮像手段で撮像されたスルー画像とともに表示する情報表示の表示種別を、複数の表示種別のうちいずれかに設定する表示種別設定手段と、多重露出撮影モードに設定するモード設定手段と、前記モード設定手段で前記多重露出撮影モードに設定され、スルー画像に多重合成すべき画像が取得できた場合に、表示種別を多重露出撮影モード用の表示種別に変更するように制御する制御手段と、を有し、前記多重露出撮影モード用の表示種別は、シャッター速度、絞り値、露出補正値、記録媒体への残り撮影可能枚数、ＡＦ方式、撮影画像のサイズ、輝度ヒストグラム、水準器に基づく傾き情報を表示しない表示種別であることを特徴とする。
または、本発明の撮像装置は、
撮像手段と、前記撮像手段で撮像されたスルー画像とともに表示する情報表示の表示種別を、多重露出撮影モード用の表示種別を含む複数の表示種別のうちいずれかに設定する表示種別設定手段と、多重露出撮影モードに設定するモード設定手段と、前記モード設定手段による前記多重露出撮影モードの設定が解除された際に、表示種別が前記多重露出撮影モード用の表示種別であった場合には他の表示種別に変更し、表示種別が前記多重露出撮影モード用の表示種別でなかった場合には表示種別を変更しないように制御する制御手段とを有することを特徴とする。
【発明の効果】
【０００８】
本発明によれば、多重露出撮影において、撮影状況に応じてより好適な表示種別での情報表示を行うことができる。
【図面の簡単な説明】
【０００９】
【図１】デジタルカメラ１００の構成ブロック図である。
【図２】デジタルカメラ１００の外観図である。
【図３】多重露出撮影に関する事前設定のメニュー画面の表示例である。
【図４】多重露出撮影の際にバッファメモリ１２２に格納される画像データを説明する図である。
【図５】撮影モード処理のフローチャートである。
【図６】多重露出撮影モード処理のフローチャートである。
【図７】多重露出撮影処理のフローチャートである。
【図８】多重露出撮影におけるクイックレビュー・再生処理の表示例である。
【図９】多重露出撮影モード処理（ＬＶ）のフローチャートである。
【図１０】多重露出撮影モード処理（ＬＶ）のフローチャートである。
【図１１】多重ライブビュー表示処理のフローチャートである。
【図１２】多重ライブビュー表示処理での表示例である。
【図１３】多重ＬＶ表示開始処理のフローチャートである。
【図１４】多重露出撮影モード中の表示種別変更処理のフローチャートである。
【図１５】多重露出終了後のＬＶ表示開始処理のフローチャートである。
【図１６】各表示種別での表示例である。
【図１７】表示種別の変更順序パターンの例である。
【発明を実施するための形態】
【００１０】
以下に、本発明の好ましい実施の形態を、添付の図面に基づいて詳細に説明する。
【００１１】
＜図１：構成ブロック図＞
図１に、本発明を適用可能な撮像装置の一実施の形態としてのデジタルカメラ１００の構成を示すブロック図を示す。
【００１２】
図１において、撮影レンズ１０１は、ズームレンズやフォーカスレンズなどからなる脱着可能な交換レンズである。
【００１３】
ＡＦ（オートフォーカス）駆動回路１０２は、例えばＤＣモータやステッピングモータを含み、マイクロコンピュータ１２３の制御によって撮影レンズ１０１に含まれるフォーカスレンズの位置を変化させることによりピントを合わせる。
【００１４】
絞り駆動回路１０４は、撮像素子１１２に到達する光量を調整する絞り１０３を駆動する。駆動されるべき量はマイクロコンピュータ１２３によって算出され、光学的な絞り値を変化させる。
【００１５】
主ミラー１０５は撮影レンズ１０１から入射した光束をファインダ側と撮像素子１１２側とに切替えるためのミラーである。主ミラー１０５は通常時はファインダ部へと光束を導くよう反射させるように配されているが、撮影が行われる場合やライブビュー表示の場合には、撮像素子１１２へと光束を導くように上方に跳ね上がり光束中から待避する（ミラーアップ）。また主ミラー１０５はその中央部が光の一部を透過できるようにハーフミラーとなっており、光束の一部を、焦点検出を行うためのセンサに入射するように透過させる。
【００１６】
サブミラー１０６は主ミラー１０５から透過してきた光束を反射させ焦点検出を行うためのセンサ（焦点検出回路１０９内に配置されている）に導くためのミラーである。
【００１７】
ミラー駆動回路１０７は、マイクロコンピュータ１２３の制御によって主ミラー１０５を駆動する。
【００１８】
ペンタプリズム１０８はファインダを構成する。ファインダは他にピント板、アイピースレンズ（不図示）などによって構成される。
【００１９】
焦点検出回路１０９は焦点検出を行うためのブロックである。主ミラー１０５の中央部を透過し、サブミラー１０６で反射された光束は、焦点検出回路１０９の内部に配置された光電変換を行うためのセンサに至る。フォーカス演算に用いるデフォーカス量は、センサの出力を演算することによって求められる。マイクロコンピュータ１２３は演算結果を評価してＡＦ駆動回路１０２に指示し、フォーカスレンズを駆動させる。
【００２０】
シャッタ駆動回路１１１は、フォーカルプレーンシャッタ１１０を駆動する。シャッタの開口時間はマイクロコンピュータ１２３によって、制御される。
【００２１】
撮像素子１１２には、ＣＣＤやＣＭＯＳセンサなどが用いられ、撮影レンズ１０１によって結像された被写体像を電気信号に変換する。
【００２２】
ＡＤ変換器１１５は撮像素子１１２から出力されたアナログ出力信号をデジタル信号に変換する。
【００２３】
映像信号処理回路１１６は、ゲートアレイなどのロジックデバイスにより実現され、各種映像信号処理を行う。
【００２４】
表示駆動回路１１７は表示部材１１８に表示を行わせる駆動回路である。
表示部材１１８は、ＴＦＴ液晶ディスプレイや有機ＥＬディスプレイなどのディスプレイであり、本実施の形態ではデジタルカメラ１００の背面モニタである。
【００２５】
メモリコントローラ１１９は、映像信号処理回路１１６から入力された未処理のデジタル画像データをバッファメモリ１２２に格納し、処理済みのデジタル画像データを記録媒体１２０に格納する。また、逆にバッファメモリ１２２や記録媒体１２０から画像データを映像信号処理回路１１６に出力する。さらに、メモリコントローラ１１９は、コンピュータ等と接続可能な外部インターフェース１２１を介して記録媒体１２０に記憶されている画像を出力可能である。
【００２６】
記録媒体１２０はメモリーカードなどの着脱可能な記録媒体である。なお、デジタルカメラの内臓記録媒体としてもよいし、複数の記録媒体があってもよい。
【００２７】
外部インターフェースは１２１は、有線、あるいは無線通信によりコンピュータ等の外部機器と接続するためのインターフェイスである。
バッファメモリ１２２は、画像データを一時的に保持するためのメモリであり、多重露出撮影の途中で使用する各種画像もここに格納される。
【００２８】
映像信号処理回路１１６は、デジタル化された画像信号に、フィルター処理、色変換処理、ガンマ処理を行い、現像データを作成すると共に、ＪＰＥＧなどの圧縮処理を行い、メモリコントローラ１１９に出力する。
【００２９】
映像信号処理回路１１６は、バッファメモリ１２２上の２つ以上の現像データの加算や、現像データから階調を高ビット化した高精度データの生成や、またその両方の処理を同時に実施し、結果をバッファメモリ１２２に書き戻すことが可能である。さらに、映像信号処理回路１１６は、撮像素子１１２からの映像信号や、メモリコントローラ１１９から逆に入力される画像信号を、表示駆動回路１１７を通して表示部材１１８に出力することも可能である。これらの機能切り替えはマイクロコンピュータ１２３の指示により行われる。映像信号処理回路１１６は、必要に応じて撮像素子１１２の信号の露出情報やホワイトバランスなどの情報をマイクロコンピュータ１２３に出力することが可能である。それらの情報を基にマイクロコンピュータ１２３はホワイトバランスやゲイン調整の指示を行う。連続撮影（連写）動作の場合においては、一旦、未処理画像のままバッファメモリ１２２に撮影データを格納し、メモリコントローラ１１９を通して未処理の画像データを読み出し、映像信号処理回路１１６にて画像処理や圧縮処理を行い、連続撮影を行う。連続撮影枚数は、バッファメモリ１２２の容量に左右される。
【００３０】
マイクロコンピュータ１２３はデジタルカメラ１００の全体を制御する主制御部であり、システムメモリ１３２をワークメモリとして、不揮発性メモリ１３０に記録された各種プログラムを実行する。
【００３１】
操作検出部１２４は、操作部材が操作されたことを検出し、操作部材が操作されるとマイクロコンピュータ１２３にその状態を伝える。マイクロコンピュータ１２３はその操作部材の変化に応じて各部をコントロールする。なお、操作検出部１２４は記録媒体１２０を格納するスロットの蓋２８（以下、カード蓋２８）、電池蓋２９の開閉状態も検知できるものとする。
【００３２】
スイッチ１（１２５）（以後ＳＷ１）は、操作部材の一つであるレリーズボタン１０の半押し操作によってオンとなるスイッチであり、オンとなるとマイクロコンピュータ１２３は、オートフォーカス（ＡＦ）動作や測光動作などの撮影準備処理を行う。
【００３３】
スイッチ２（１２６）（以後ＳＷ２）は、操作部材の一つであるレリーズボタン１０の全押し操作によってオンとなるスイッチである。ＳＷ２がオンとなるとマイクロコンピュータ１２３は、撮像を行い、撮像された画像を画像ファイルとして記録媒体１２０に記録する本撮影処理を行う。
【００３４】
またＳＷ１、ＳＷ２がオンし続けている間は、連続撮影動作が行われる。
液晶駆動回路１２７は、マイクロコンピュータ１２３の表示内容命令に従って、文字、画像を用いて動作状態やメッセージ等を表示する外部液晶表示部材１２８やファインダ内液晶表示部材１２９を駆動する。また、ファインダ内液晶表示部材１２９には、不図示のＬＥＤなどのバックライトが配置されており、そのＬＥＤも液晶駆動回路１２７で駆動される。
【００３５】
マイクロコンピュータ１２３は撮影前に設定されているＩＳＯ感度、画像サイズ、画質に応じた、画像サイズの予測値データをもとに、メモリコントローラ１１９を通して、記録媒体１２０の残容量を確認した上で撮影可能残数を演算することができる。撮影可能残数は必要に応じて表示部材１１８、外部液晶表示部材１２８、ファインダ内液晶表示部材１２９にも表示することができる。
【００３６】
不揮発性メモリ１３０はＥＥＰＲＯＭやフラッシュメモリなどよりなり、カメラに電源が入れられていない状態でも、データを保存することができる。電源部１３１は、各ブロックや駆動系に必要な電源を供給する。
【００３７】
＜図２：外観図＞
図２に、デジタルカメラ１００の外観図を示す。図２（ａ）はデジタルカメラ１００の正面斜視図であり、図２（ｂ）はデジタルカメラ１００の背面斜視図である。なお、正面斜視図においては、交換レンズである撮影レンズ１０１を取り外した状態を図示している。
【００３８】
図２（ａ）に図示したとおり、デジタルカメラ１００は操作部材としてのレリーズボタン１０、メイン電子ダイヤル１１、ＩＳＯ設定ボタン１２、露出補正ボタン１３、撮影モードダイヤル１４、絞り込みボタン１５を備える。絞り込みボタン１５は絞り１０４を設定された絞り（Ｆ値）に絞り込ませるためのボタンであり、撮影モードにおけるライブビュー表示中に押下することにより、設定された絞りでの撮像画像の明るさを確認することができる。
【００３９】
ライブビュー表示とは、主ミラー１０５を退避させた状態で、撮像素子１１２で撮像している画像（スルー画像）を略リアルタイムで連続的に表示部材１１８に表示させることで電子ビューファインダーとして機能させる表示である。ライブビュー表示では、撮像素子１１２に結像された画像を、ＡＤ変換器１１５でデジタル信号へと変換し、映像信号処理回路１１６で現像を行ってスルー画像を生成する。そして、スルー画像、あるいはスルー画像と撮影済みの画像を合成した多重合成画像を表示部材１１８に表示させる。表示された画像は逐次更新され、動画として視認される。例えばこの処理を１秒間に３０回繰り返すことで３０ｆｐｓのライブビュー表示が可能となる。
【００４０】
メイン電子ダイヤル１１は回転操作部材であり、撮影条件などの各種設定値を増減する際や、各種項目を選択する際に選択している項目を変更する操作、再生モードにおいて画像を組単位で切り替える操作等に用いられる。
【００４１】
図２（ｂ）に図示したとおり、デジタルカメラ１００は操作部材としての情報表示ボタン１６、メニューボタン１７、再生ボタン１８、消去ボタン１９、メインＳｗ２０、セットボタン２１を備える。また、サブ電子ダイヤル２２、拡大ボタン２３、縮小ボタン２４、マルチコントローラー２５を備える。メインＳｗ２０はデジタルカメラ１００の電源のＯＮとＯＦＦを切り替えるための操作部材である。サブ電子ダイヤル２２は回転操作部材であり、各種項目を選択する際に選択している項目を変更する操作、再生モードにおいて表示している画像を切り替える画像送り操作などに用いられる。ファインダ接眼部２６は、ユーザーがファインダを覗き込んで光学像を見る際の接眼部である。ライブビューボタン２７は、ライブビュー表示を開始する指示を受け付けるボタンであり、押下することでライブビュー表示のＯＮとＯＦＦを切り換えられる。カード蓋２８は記録媒体１２０を格納する格納部の蓋であり、電池蓋２９は電源部１３１としての電池を格納する格納部の蓋である。
【００４２】
＜多重露出撮影＞
デジタルカメラ１００では、複数のデジタル画像信号を加算処理することにより、多重露出撮影を行ことができる。多重露出撮影は、図３で後述するメニュー画面より、多重露出撮影「する」が選択されて多重露出撮影モードに設定されると開始される（多重露出撮影モード設定）。多重露出撮影モードに設定してから撮影した複数の画像を加算処理（以下、多重、あるいは多重合成とも称する）して多重合成画像を生成して、画像ファイルとして記録媒体１２０に記録する。記録媒体１２０に記録する多重合成画像を生成する際の加算処理の方式として、「加算モード」と「自動露出調整モード」の２つの方式のうち任意の方式が利用できる。
【００４３】
加算モードでは、式（１）のように、加算する複数の画像のそれぞれの輝度を単純に加算した合成比率で加算処理を行う。式（１）のように加算した結果、記録できる最大の輝度を超える場合も、記録できる最大の輝度を上限とする（飽和した状態）。自動露出調整モードでは、式（２）のような、多重合成画像の輝度が、加算される各々の画像の輝度の平均となる合成比率で加算処理を行う。
Ｙｎ＝ｙ１＋ｙ２＋・・・＋ｙｎ−１＋ｙｎ              ・・・（１）
Ｙｎ＝（ｙ１＋ｙ２＋・・・＋ｙｎ−１＋ｙｎ）／ｎ      ・・・（２）
Ｙｎ      ：ｎ枚の画像を多重合成して生成される多重合成画像の輝度
ｙ１      ：１枚目の画像の輝度
ｙ２      ：２枚目の画像の輝度
ｙｎ−１  ：ｎ−１枚目の画像の輝度
ｙｎ      ：ｎ枚目の画像の輝度
ｎ        ：加算する画像の枚数
【００４４】
式（１）と式（２）をそれぞれ変換して、同義である式（３）、式（４）に基づき、１枚前までで既に多重合成した画像を用いて多重合成を行っても良い。すなわち、自動露出調整機能の設定が「しない」（加算モード）である場合は、前述の式（１）の合成比率となるように、以下の式（３）のように加算処理を行い多重合成する。自動露出調整機能の設定が「する」（自動露出調整モード）である場合は、前述の式（２）の合成比率となるように以下の式（４）のように加算処理を行い多重合成する。
Ｙｎ＝Ｙｎ−１＋ｙｎ                                  ・・・（３）
Ｙｎ＝｛Ｙｎ−１×（ｎ−１）／ｎ｝＋｛ｙｎ×１／ｎ｝  ・・・（４）
Ｙｎ      ：ｎ枚の画像を多重合成して生成される多重合成画像の輝度
Ｙｎ−１  ：ｎ−１枚の画像を多重合成して生成される多重合成画像の輝度
ｙｎ      ：ｎ枚目の画像の輝度
ｎ        ：加算する画像の枚数
【００４５】
多重露出撮影モードでライブビュー表示を開始すると、ベース画像と（ベース画像の設定が有の場合）、多重露出撮影モードにしてから既に撮影した撮影済画像と、スルー画像とを多重合成した画像を表示する。なお、ベース画像とは、これから行う多重露出撮影で撮影される画像に合成する画像として、多重露出撮影モードに設定する前に記録媒体１２０に記録されていた画像から選ばれた画像のことである。これにより、ユーザーは、次に撮影する画像がどのような構図で多重合成されるかを確認しながら撮影することができる。ただし、ライブビュー表示において、前述した式（１）や式（２）のような、記録媒体１２０に記録する多重合成画像を生成する場合と同じ合成比率で加算処理を行ってしまうと、ユーザーにとってスルー画像が見えにくくなる場合がある（はっきり見えなくなる場合がある）。そうすると、ユーザーはスルー画像を見て次に撮影する画像をどのような構図で撮影するかの構図調整をやり難くなる。例えば、加算モードでは、明るい部分の輝度が加算されると、輝度が飽和してしまう（最大輝度になる）場合があり、構図確認あるいはフォーカスの確認がしにくい場合がある。自動露出調整モードでは、撮影枚数分の輝度が平均されてしまうため、例えば多重露出撮影モードにしてから既に撮影した画像の枚数が多くなってくると、１枚あたりの輝度が低くなり、スルー画像の輝度も低くなるため、構図やフォーカスを確認しにくくなる。そのため本発明では、多重露出撮影モードでのライブビュー表示でスルー画像と撮影済みの画像を多重合成して表示する場合、通常、スルー画像の合成比率が合成される撮影済みの画像の合成比率よりも高くなるようにする。このようにスルー画像の合成比率を高くすることで、スルー画像を撮影済みの画像よりも相対的にはっきり表示し、スルー画像の視認性を高める。さらに、スルー画像の合成比率を、合成する撮影済みの画像の枚数に関わらず一定としておくことで、よりスルー画像の視認性を高める。すなわち、ライブビュー表示において多重合成を行う場合、式（５）のような合成比率とする。
Ｙｌ＝｛Ｙｎ×（１−Ｍ）｝＋｛ｙｔ×Ｍ｝  ・・・（５）
Ｙｌ    ：ライブビュー表示で表示する多重合成画像の輝度
ｙｔ    ：スルー画像の輝度
Ｙｎ    ：その時点で取得済みのｎ枚の画像を多重合成した画像の輝度。すなわち、スルー画像に合成する撮影済みの画像の輝度。
Ｍ      ：ライブビュー表示で表示する多重合成画像におけるスルー画像の合成比率。
【００４６】
上述の式（５）において、Ｍは０．５以上１未満とする。すなわち、スルー画像の輝度の合成比率を、合成する撮影済みの画像の輝度の合成比率の合計以上にするものとする。なお、スルー画像の輝度の合成比率を、合成する撮影済み画像個々の合成比率よりも高くするとしてもよい。
【００４７】
なお、ライブビュー表示において多重合成を行わず、スルー画像だけを表示すると設定することも可能である。その場合、式（５）においてＭ＝１として、撮影済みの画像の輝度Ｙｎの合成比率（１−Ｍ）を０とすることでスルー画像だけを表示するアルゴリズムとしても良い。スルー画像だけの表示とすることで、スルー画像に対する現在のフォーカス（ピント）の確認などがより行いやすくなる。
【００４８】
式（５）を用いて生成した、ライブビュー表示において表示する多重合成画像は、スルー画像の視認性は向上する。しかしこの多重合成画像は、実際に本撮影を行った後に式（１）または（３）、あるいは式（２）または（４）を用いて生成され、記録媒体１２０に記録される多重合成画像とは異なる合成比率の画像となる。従って、記録媒体１２０に記録される多重合成画像が実際どのような画像となるのか（特に、どのような輝度バランス、濃さの画像となるのか）を確認することができず、露出などの撮影条件の設定の参考にはならない場合がある。そこで、多重露出撮影モードでのライブビュー表示中に絞り込みボタン１５が押下されると、本撮影を行って生成される多重合成画像がどのようになるのかを模擬的に事前確認できるような表示を行う。この表示をシミュレーションライブビュー表示と称する。シミュレーションライブビュー表示で表示する多重合成画像は、自動露出調整機能の設定に応じて、自動露出調整機能「しない」（加算モード）の際は式（６）、「する」（自動露出調整モード）の際は式（７）のように合成される。
Ｙｓ＝Ｙｎ＋ｙｔ                                          ・・・（６）
Ｙｓ＝｛Ｙｎ×ｎ／（ｎ＋１）｝＋｛ｙｔ×１／（ｎ＋１）｝  ・・・（７）
Ｙｓ  ：シミュレーションライブビュー表示で表示する多重合成画像の輝度
ｙｔ  ：スルー画像の輝度
Ｙｎ  ：その時点で取得済みのｎ枚の画像を多重合成した画像の輝度。すなわち、スルー画像に合成する撮影済みの画像の輝度。
ｎ    ：その時点で取得済みの画像の枚数。ベース画像が設定されていない場合は１組の多重露出撮影において現在までに撮影が実行された枚数。ベース画像が設定されている場合は１組の多重露出撮影において現在までに撮影が実行された枚数＋１。
【００４９】
式（６）または式（７）における、撮影済み画像Ｙｎの輝度の合成比率は、もう一枚画像を本撮影した際に行われる、記録媒体に記録するための多重合成画像Ｙｎ＋１における合成比率と同じとなる。
【００５０】
なお、前述の式（１）〜（７）に基づく多重合成は、各色毎に行っても良い。
【００５１】
以上のような合成比率での多重合成を行う多重露出撮影の動作について、以下で詳しく説明する。
【００５２】
＜図３：多重露出撮影に関する事前設定＞
多重露出撮影に関する事前設定項目を設定する方法について説明する。
【００５３】
図３に、多重露出撮影に関するデジタルカメラ１００の設定を行うメニュー画面の表示例を示す。図３（ａ）の多重露出撮影に関するメニュー画面３００は、メニューボタン１７を押下して全体メニューを表示し、全体メニューの中から多重露出撮影に関するメニューを選択して確定すると、表示部材１１８に表示される。
【００５４】
メニュー画面３００には、メニュー項目３０１〜３０４が表示される。ユーザーはサブ電子ダイヤル２２の操作によってメニュー項目３０１〜３０４の中から任意のメニュー項目を選択することができる。いずれかのメニュー項目を選択した状態でセットボタン２１を押下することで、選択したメニュー項目についての設定候補一覧が表示される。そして、表示された設定候補一覧の中から所望の設定候補をサブ電子ダイヤル２２の操作などにより選択し、再度セットボタン２を押下することで、選択した設定候補を設定値として確定して設定することができる。
【００５５】
メニュー項目３０１は多重露出撮影を行うか否かを選択するメニュー項目であり、「する」・「しない」の２つの設定候補のうちいずれかを選択して設定可能である。以下、本項目の設定を多重露出撮影要否設定と称する。多重露出撮影要否設定は、システムメモリ１３２あるいは不揮発性メモリ１３０に記録される。ユーザーの操作に応じて多重露出撮影要否設定が「しない」から「する」に設定変更された場合、多重露出撮影モードに設定され、次回の撮影から多重露出撮影を開始する。多重露出撮影要否設定は、多重露出撮影が予定枚数に達して終了した場合など、後述するいくつかの条件で自動的に「する」から「しない」に変更される。多重露出撮影の途中であっても、ユーザー操作に応じて本項目を「しない」に設定すると、その時点で多重露出撮影を終了する。その際、多重合成画像のファイルが生成可能であればマイクロコンピュータ１２３の制御に基づいて多重合成画像のファイル生成する。
【００５６】
メニュー項目３０２は１組の多重露出撮影において合成する画像の枚数を選択するメニュー項目であり、２〜９の設定候補のうち何れかの画像枚数を選択して設定可能である。ベース画像が選択されていない場合、メニュー項目３０２で設定した画像枚数が、多重露出撮影予定枚数となる。ベース画像を選択した場合は、多重露出撮影予定枚数が、メニュー項目３０２で設定した画像枚数から１減った値となる。多重露出撮影予定枚数はシステムメモリ１３２に記録される。なお本項目は多重露出撮影にて１枚以上の画像を撮影した後、多重露出撮影が完了していない状態（以下、多重露出撮影中状態と称する。後述の多重露出撮影中フラグ＝１である状態である）では、選択して変更することができない。
【００５７】
メニュー項目３０３は多重露出撮影における自動露出調整機能の実行要否を選択するメニュー項目であり、「する」・「しない」の２つの設定候補のうちいずれかを選択して設定可能である。自動露出調整機能を「する」に設定すると、記録媒体１２０に記録される多重合成画像を生成する際、前述の自動露出調整モードでの加算処理が行われるものとして設定される。自動露出調整機能を「しない」に設定すると、記録媒体１２０に記録される多重合成画像を生成する際、前述の加算モードでの加算処理が行われるものとして設定される。本項目は多重露出撮影中状態では、選択して変更することができない。
【００５８】
メニュー項目３０４は多重露出撮影におけるベース画像を選択するメニュー項目であり、記録媒体１２０に記録されている画像（多重露出撮影モードに設定する前に記録されていた画像）から１つの画像を選択してベース画像に設定することが可能である。本項目は多重露出撮影要否設定が「する」に設定されており、かつ、多重露出撮影中状態ではない状態でのみ設定可能である。すなわち、多重露出撮影要否設定を「する」に設定してから１枚目の撮影をする前にのみ、メニュー項目３０４でのベース画像設定が可能である。ベース画像を設定すると、図３（ｂ）のような画面表示となる。画像３０６は記録媒体に記録された画像のうちベース画像として設定された画像である。ベース画像は、多重露出撮影モードで１枚以上の撮影が行われるか、ライブビュー表示を開始した際に、映像信号処理回路１１６によって、記録媒体１２０から読みだされ、バッファメモリ１２２上に現像データとして変換された形で配置される。ベース画像を選択すると、撮影条件としての画像サイズの設定値（以降の多重露出撮影で撮影される画像の画像サイズ）が、ベース画像の画像サイズと同じ値に設定される。このようにベース画像を選択すると、過去に撮影した画像を１枚目の画像として、多重露出撮影を行うことができる。本実施の形態では、ベース画像として選択可能な画像は画像サイズを合わせる必要性のため、過去に本デジタルカメラ１００で撮影された画像のみとする。なお、デジタルカメラ１００で撮影条件として設定可能な画像サイズを有する画像であれば、デジタルカメラ１００で撮影された画像以外の画像をベース画像に設定できるものとしてもよい。また、デジタルカメラ１００で撮影条件として設定可能な画像サイズと異なる画像の場合は、映像信号処理回路１１６でリサイズしてベース画像に設定できるものとしてもよい。ベース画像の設定は多重露出撮影が終了すると解除され、ベース画像が選択されていない状態になる。画像選択解除ボタン３０５は選択したベース画像をキャンセルするためのボタンアイコンであり、選択決定するとベース画像が選択されていない状態になる。
【００５９】
＜図４：バッファメモリ１２２に保持される画像データ＞
図４を用いて多重露出撮影を行った際にバッファメモリ１２２に保持されるデータについて説明する。各撮影によって、バッファメモリ１２２には最大で、現像データ、高精度データ、多重現像データ、表示用多重データ、前回撮影時表示用多重データの５つの画像データが保持される。
【００６０】
現像データは直前の撮像で撮像素子から得られた画像信号に色処理などの現像処理を施したデータである。現像データをＪｐｅｇ形式などで圧縮することで、記録媒体１２０に記録される各元画像の画像ファイルが生成される。
【００６１】
高精度データは、前回の撮影で得られた現像データを、多重合成するために映像信号処理回路１１６を用いて高ビット化（以下、高精度化と称する）し、前回までに生成していた高精度データに加算した画像データである。高精度化することで、多重合成処理に伴って階調が飽和してしまう可能性を低減することができる。高精度化以外にも多重合成しやすくするための他の処理を施したものとしても良い。
【００６２】
多重現像データは、今回生成した高精度データ（前回までに得た画像を多重したもの）に、今回の撮影で得られた現像データを加算したデータである。この多重現像データをＪｐｅｇ形式などで圧縮することで、記録媒体１２０に記録される多重合成画像の画像ファイルが生成される。
【００６３】
表示用多重データは、多重現像データを表示のために縮小・圧縮したデータである。このデータを用いて後述の多重中クイックレビュー（以下、ＱＲとも称する）・再生処理、及び多重中１枚目ＱＲ・再生処理での表示を行う。
【００６４】
前回撮影時表示用多重データは、前回までの撮影で生成された表示用多重データである。
【００６５】
図４（ａ）〜（ｄ）は、多重露出撮影において、ベース画像を無しとした場合に、それぞれの状態においてバッファメモリ１２２に保持されるデータを表している。
【００６６】
図４（ａ）は、１枚目の撮影の後のバッファメモリ１２２の状態である。１枚目の撮影で画像信号Ａが得られると、それを現像した現像データＡをバッファメモリ１２２に保持する。ただし高精度データ、多重現像データ、表示用多重データ、前回撮影時表示用多重データは生成も格納もせず、その分のバッファメモリ１２２の容量を空けてある。高精度データ、多重現像データ、表示用多重データ、前回撮影時表示用多重データの格納に必要な容量を空けてある分だけ、他の処理に容量を割り当てることで他の処理を高速に行うことができる。他の処理とは例えば、ライブビュー撮影を用いた顔検出処理、コントラストＡＦ処理などがある。
【００６７】
図４（ｂ）は、２枚目の撮影の後のバッファメモリ１２２の状態である。２枚目の撮影で画像信号Ｂが得られると、画像信号Ｂを現像した現像データＢを生成してバッファメモリ１２２に保持する。また、１枚目の後に保持していた現像データＡを高精度化して高精度データＡとして保持する（１枚目の後には高精度データは保持していないので加算は行わない）。高精度データＡと現像データＢとを多重合成して多重現像データＡ＋Ｂを生成して保持する。多重現像データＡ＋Ｂを縮小・圧縮して表示用多重データＡ＋Ｂを生成して保持する。また、２枚目の撮影の場合は、１枚目の撮影で表示用多重データを生成していないので、記録媒体１２０に記録された１枚目の画像Ａの画像ファイルから前回撮影時表示用多重データを生成して保持する。
【００６８】
図４（ｃ）は、３枚目の撮影の後のバッファメモリ１２２の状態である。３枚目の撮影で画像信号Ｃが得られると、画像信号Ｃを現像した現像データＣを生成してバッファメモリ１２２に保持する。また、２枚目の後に保持していた現像データＢを高精度化して、２枚目の後に保持していた高精度データＡと加算することにより、高精度データＡ＋Ｂを生成して保持する。高精度データＡ＋Ｂと現像データＣとを多重合成して多重現像データＡ＋Ｂ＋Ｃを生成して保持する。多重現像データＡ＋Ｂ＋Ｃを縮小・圧縮して表示用多重データＡ＋Ｂ＋Ｃを生成して保持する。また、２枚目の撮影のときに生成した表示用多重データＡ＋Ｂを、前回撮影時表示用多重データＡ＋Ｂとして保持する。
【００６９】
図４（ｄ）は、後述する多重中ＱＲ・再生処理によって３枚目の撮影で得た画像を破棄した場合のバッファメモリ１２２の状態である。３枚目の撮影で得た画像を破棄すると、図４（ｃ）の状態から、現像データＣ、多重現像データＡ＋Ｂ＋Ｃ、表示用多重データＡ＋Ｂ＋Ｃをバッファメモリ１２２から破棄する。また、図４（ｃ）で前回撮影時表示用多重データＡ＋Ｂとして保持されていた画像データを、図４（ｄ）で表示用多重データＡ＋Ｂとして保持する。
【００７０】
図４（ｅ）は、３枚目の撮影を破棄した後に、３枚目の撮影をやり直した場合のバッファメモリ１２２の状態である。３枚目のやり直しの撮影（撮り直しの指示を受け付けた後の多重露出撮影モードでの撮影）で画像信号Ｄが得られると、画像信号Ｄを現像した現像データＤを生成してバッファメモリ１２２に保持する。また、３枚目の破棄後に保持していた高精度データＡ＋Ｂはそのまま保持する。高精度データＡ＋Ｂと現像データＤとを多重合成して多重現像データＡ＋Ｂ＋Ｄを生成して保持する。多重現像データＡ＋Ｂ＋Ｄを縮小・圧縮して表示用多重データＡ＋Ｂ＋Ｄを生成して保持する。また、３枚目の破棄後に保持していた表示用多重データＡ＋Ｂを、前回撮影時表示用多重データＡ＋Ｂとして保持する。
【００７１】
＜処理に用いるデータ＞
次に、多重露出撮影の処理において用いるデータについて説明する。多重露出撮影の処理を実行するにあたっては、以下の変数を用いる。
・多重露出撮影要否設定：「する」あるいは「しない」のいずれかが設定可能であり、不揮発性メモリ１３０あるいはシステムメモリ１３２に設定値が記録される。「する」の状態が多重露出撮影モードであることを示す。
・多重露出撮影中フラグ：多重露出撮影の途中であるか否かを示す変数であり、システムメモリ１３２に記録される。多重露出撮影要否設定を「する」にした後、１枚以上の撮影を行うと１（多重露出撮影中状態）になり、多重露出撮影が終了すると０になる。クイックレビューでの処理を通常時の処理とするか多重中の処理とするかなどはこのフラグにより判断する。
・多重露出撮影予定枚数：１つの多重画像を生成するために行う多重露出撮影（以下、１組の多重露出撮影と称する）の回数を示す値であり、システムメモリ１３２に記録される。ベース画像を無しに設定している場合は多重露出撮影予定枚数は図３のメニュー項目３０２での設定枚数である。ベース画像を有りに設定している場合は多重露出撮影予定枚数は図３のメニュー項目３０２での設定枚数マイナス１である。
・多重露出撮影完了枚数：１組の多重露出撮影において現在までに撮影が実行された枚数を示す値であり、システムメモリ１３２に記録される。多重露出撮影完了枚数＝多重露出撮影予定枚数となると、１組の多重露出撮影が終了したこととなり、多重露出撮影処理を完了する。
・拡大モードフラグ：ライブビュー表示で拡大を行う拡大モードであるか否かの状態を管理する変数であり、システムメモリ１３２に記録される。拡大ボタン２３の押下に応じて、拡大モードＯＦＦ（スルー画像の全体を全画面表示）、拡大モード（５倍拡大）、拡大モード（１０倍拡大）が順次切り替わる。
・表示種別Ｇｓ：複数の情報表示の種別のうち、選択されている種別を示す変数。本実施形態では表示種別は１〜６の６種類あり、Ｇｓはこのうち選択されている表示種別のＮｏとなる。
・Ｆｍｏｖ：表示種別を、６（多重ライブビュー表示）からユーザーの操作に応じて他の表示種別に変更された状態であるか否かを示すフラグ。ユーザーの操作に応じて表示種別６から他の表示種別に変更された場合は１になり、そうでない場合は０となる。
・Ｇｒ：システムメモリ１３２に保存された多重ライブビュー表示開始前の表示種別。表示種別が自動的に６（多重用の情報表示の種別）に変更になると、直前に選択していた表示種別をＧｒとして保存し、多重露出撮影モードが終了した際に元の表示種別に戻すために参照される。
【００７２】
また、多重露出撮影中状態では、１組の多重露出撮影において現在までに撮影された各元画像の記録媒体１２０上での格納場所を示す情報を、書き込み済みファイル情報としてシステムメモリ１３２に記録する。画像を記録する記録媒体が複数ある場合には、格納先の記録媒体を特定する情報も記録される。
【００７３】
＜表示種別の変更＞
本実施の形態では、ライブビュー表示を行っている際に、６種類の情報表示の表示種別のうちいずれかの表示種別で情報表示が行える。図１６に６種類の表示種別での表示例を示す。
【００７４】
表示種別１は、スルー画像上にＡＦのために使用するコントラスト測定領域の枠（ＡＦ枠）を重ねて表示する表示種別である。
【００７５】
表示種別２は、表示種別１での表示に加え、デジタルカメラ１００の現在の設定値としてのシャッター速度、絞り値、露出補正値、記録媒体１２０への残り撮影可能枚数を表示する表示種別である。
【００７６】
表示種別３は、表示種別２での表示に加え、デジタルカメラ１００の現在の設定値としての撮影モードやＡＦ方式、撮影画像のサイズを表示する表示種別である。
【００７７】
表示種別４は、表示種別３での表示に加え、スルー画像の輝度ヒストグラムを表示する表示種別である。
【００７８】
表示種別５は、表示種別３での表示に加え、水準器で検出されたデジタルカメラ１００の傾き情報を表示する表示種別である。
【００７９】
表示種別６は、多重露出撮影用の表示種別であり、これを多重ライブビュー表示と称する。ベース画像と（ベース画像の設定が有の場合）、多重露出撮影モードにしてから既に撮影した撮影済画像と、スルー画像とを多重合成した画像に、ＡＦ枠を重畳表示する。また、多重露出撮影モードに設定されていることを示すアイコンと、多重露出撮影予定枚数までの残り枚数（多重露出撮影予定枚数−多重露出撮影完了枚数）とを表示する（図の例では残り２枚であることを示している）。多重露出撮影予定枚数と多重露出撮影完了枚数の少なくとも一方を表示してもよい。なお、撮影済画像とスルー画像とを多重合成した画像の視認を妨げないように、情報表示は最低限としており、その他の情報表示は敢えて表示していない。例えば、設定値としてのシャッター速度、絞り値、露出補正値、記録媒体１２０への残り撮影可能枚数、ＡＦ方式、撮影画像のサイズ、輝度ヒストグラム、水準器に基づく傾き情報は表示しない。
【００８０】
表示種別設定は、情報表示ボタン１６のトグル操作によって任意に変更することができる。ただし、表示種別６（多重ライブビュー表示）は、多重露出撮影モードの際しか選択できない。情報表示ボタン１６の押下に応じた表示種別の変更順序パターンを図１７に示す。多重露出撮影モードで無い場合、及び多重露出撮影モードであるがまだ多重すべき画像が取得出来ない場合は図１７（ａ）のパターンで表示種別が変更される。図１７（ａ）のパターンでは、情報表示ボタン１６が押下された際に、選択していた（表示していた）表示種別が１であれば２に、２であれば３に、３であれば４に、４であれば５に、５であれば１に変更する。多重露出撮影モードであり、かつ多重すべき画像が取得できる場合には図１７（ｂ）のパターンで表示種別が変更される。図１７（ｂ）のパターンでは、情報表示ボタン１６が押下された際に、選択していた表示種別が１であれば２に、２であれば３に、３であれば４に、４であれば５に、５であれば６に、６であれば１に変更する。
【００８１】
＜図５：撮影モード処理＞
図５に、撮影モード処理のフローチャートを示す。図５の処理は、不揮発性メモリ１３０に記録されたプログラムを、システムメモリ１３２に展開してマイクロコンピュータ１２３が実行することで実現する。デジタルカメラ１００が起動されて撮影モードに設定されると図５の処理を開始する。
【００８２】
Ｓ５０１では、マイクロコンピュータ１２３は、撮影モード処理で使う各種変数のリセットや、各部を撮影待機状態にするための制御などの初期処理を行う。
【００８３】
Ｓ５０２では、マイクロコンピュータ１２３は、ライブビュー表示の開始指示があったか否かを判定する。具体的には、ライブビューボタン２７が押下されたか否かの判定である。ライブビューボタン２７が押下されたと判定した場合はＳ５０３に進み、そうでない場合はＳ５０６へ進む。
【００８４】
Ｓ５０３では、マイクロコンピュータ１２３は、現在ライブビュー表示を行っているか否かを判定する。ライブビュー表示を行っていないと判定するとＳ５０４に進み、ミラーアップしてライブビュー表示を開始する。Ｓ５０３でライブビュー表示中であると判定するとＳ５０５へ進み、ミラーダウンしてライブビュー表示を終了する。
【００８５】
Ｓ５０６では、マイクロコンピュータ１２３は、情報表示ボタン１６の押下による表示種別変更操作があったか否かを判定する。情報表示ボタン１６が押下されたと判定するとＳ５０７へ進み、そうでない場合はＳ５０９へ進む。
【００８６】
Ｓ５０７では、マイクロコンピュータ１２３は、現在ライブビュー表示を行っているか否かを判定する。ライブビュー表示を行っていないと判定するとＳ５０９に進み、ライブビュー表示中であると判定するとＳ５０８へ進む。
【００８７】
Ｓ５０８では、マイクロコンピュータ１２３は、前述した図１７（ａ）の切り替えパターンに従って、表示種別を切り替える。すなわち、ここの処理では表示種別６の多重ライブビュー表示には遷移しない。
【００８８】
Ｓ５０９では、マイクロコンピュータ１２３は、システムメモリ１３２あるいは不揮発性メモリ１３０の多重露出撮影要否設定を参照し、多重露出撮影が「する」に設定されたか否かを判定する。「する」に設定された場合はＳ５１０に進み、そうでない場合はＳ５１３に進む。
【００８９】
Ｓ５１０では、マイクロコンピュータ１２３は。現在ライブビュー表示を行っているか否かを判定する。ライブビュー表示を行っていないと判定するとＳ５１１に進み、多重露出撮影モード処理を行う。多重露出撮影モード処理については図６を用いて後述する。Ｓ５１０でライブビュー表示中であると判定するとＳ５１２に進み、ライブビュー表示を伴う多重露出撮影モード処理（ＬＶ）を行う。ライブビュー表示を伴う多重露出撮影モード処理（ＬＶ）については、図９、図１０を用いて後述する。
【００９０】
Ｓ５１３では、マイクロコンピュータ１２３は、ＳＷ２がＯＮであるか否かを判定し、オンであればＳ５１４へ進み、ＯＮで無ければＳ５１５に進む。Ｓ５１４では、設定されている撮影条件に基づいた撮影を行い、撮影された画像データに画像処理を施して記録媒体１２０に画像ファイルとして記録する。なお、この処理をスルー画像を取得するための撮像と区別するために、以下では本撮影と称する。
【００９１】
Ｓ５１５では、マイクロコンピュータ１２３は、撮影モードを終了するイベントが発生したか否かを判定する。撮影モードを終了するイベントには、以下のイベントがある。再生モードなどの撮影モード以外の動作モードに移行するイベント、メインＳＷ２０の操作、カード蓋２８の開き、電池蓋２９の開き。オートパワーオフ時間の経過などの電源がＯＦＦとなるイベント。撮影モードを終了するイベントがなければＳ５０２に戻って処理を繰り返し、撮影モードを終了するイベントがあった場合は撮影モード処理を終了する。
【００９２】
＜図６：多重露出撮影モード処理＞
図６に、多重露出撮影モード処理のフローチャートを示す。図６の処理は、不揮発性メモリ１３０に記録されたプログラムを、システムメモリ１３２に展開してマイクロコンピュータ１２３が実行することで実現する。多重露出撮影要否設定が「する」に設定されると、図６の処理を開始する。
【００９３】
Ｓ６００では、ライブビュー表示の開始指示があったか否かを判定する。具体的には、ライブビューボタン２７が押下されたか否かの判定である。ライブビューボタン２７が押下された（ライブビュー表示の指示があった）と判定した場合はＳ６３０に進み、そうでない場合はＳ６０１へ進む。Ｓ６３０では、ライブビュー表示を伴う多重露出撮影モード処理（ＬＶ）を行う。ライブビュー表示を伴う多重露出撮影モード処理（ＬＶ）については、図９、図１０を用いて後述する。
【００９４】
Ｓ６０１では、ＳＷ２がＯＮであるか否かを判定し、オンであればＳ６０２へ進み、ＯＮで無ければＳ６０７に進む。
【００９５】
Ｓ６０２では、マイクロコンピュータ１２３は、多重露出撮影処理を行う。多重露出撮影処理の詳細は図７を用いて後述する。
【００９６】
Ｓ６０３では、マイクロコンピュータ１２３は、システムメモリ１３２を参照し、多重露出撮影完了枚数が１であるか否かを判定する。これはすなわち、Ｓ６０２で行われた多重露出撮影処理で１組の多重露出撮影の１枚目の画像が撮影されたか否かの判定である。多重露出撮影完了枚数が１である場合はＳ６０４に進み、システムメモリ１３２の多重露出撮影中フラグを１として保持する。Ｓ６０３で多重露出撮影完了枚数が１でないと判定した場合、及びＳ６０４で多重撮影完了フラグを１にした場合はＳ６０５に進む。
【００９７】
Ｓ６０５では、マイクロコンピュータ１２３は、システムメモリ１３２に保持した多重露出撮影完了枚数と多重露出撮影予定枚数が等しくなったか否かを判定する。等しくなった場合は１組の多重露出撮影が完了したので、Ｓ６０６で「保存して終了処理」を行った後に多重露出撮影モード処理を完了する。
【００９８】
Ｓ６０６の「保存して終了処理」では、マイクロコンピュータ１２３は、この時点で多重露出撮影を終了し、この時点までに取得した画像を用いて多重合成画像を生成して、画像ファイルとして記録媒体１２０に記録する。この際の多重合成画像の生成では、図３のメニュー画面で設定された自動露出調整機能の設定に応じて、自動露出調整機能が「する」に設定されていた場合は前述の式（４）に基づいて多重合成処理を行う。自動露出調整機能が「しない」に設定されていた場合は前述の式（３）に基づいて多重合成処理を行う。また、マイクロコンピュータ１２３は、多重露出撮影の初期化処理を行う。初期化処理では、バッファメモリ１２２に記録された画像データを全て破棄する。システムメモリ１３２に記録した多重露出撮影予定枚数、多重露出撮影完了枚数をリセットする。多重露出撮影要否設定を「しない」に変更する。システムメモリ１３２に保持している多重露出撮影中フラグを０にする。システムメモリ１３２に保持している書き込み済みファイル情報の内容をすべて消去する。
【００９９】
一方Ｓ６０７では、マイクロコンピュータ１２３は、再生ボタン１８が押下されたか否か（再生モードへ移行する指示があったか否か）を判定する。再生ボタン１８が押下された場合はＳ６０８へ進み、再生ボタン１８が押下されていない場合はＳ６１４へ進む。
【０１００】
Ｓ６０８では、マイクロコンピュータ１２３は、システムメモリ１３２を参照して多重露出撮影中フラグが１であるか否か（多重露出撮影中状態であるか否か）を判定する。多重露出撮影中フラグが１であればＳ６１０へ進み、１で無ければＳ６０９へ進む。
【０１０１】
Ｓ６０９では、マイクロコンピュータ１２３は、通常再生モード処理を行う。通常再生モード処理では、記録媒体１２０に記録され、デジタルカメラ１００で再生可能な全ての画像を対象として、１枚表示、マルチ表示、画像送り、消去、属性付与などの再生モード処理を行う。
【０１０２】
Ｓ６１０では、マイクロコンピュータ１２３は、ベース画像が有に設定されているか否かを判定する。ベース画像が無しに設定されている場合はＳ６１１へ進み、ベース画像が有りに設定されている場合はＳ６１３へ進む。
【０１０３】
Ｓ６１１では、マイクロコンピュータ１２３は、システムメモリ１３２に記録された多重露出撮影完了枚数が２以上であるか否かを判定する。２以上であると判定するとＳ６１３へ進み、２未満である場合はＳ６１２に進む。多重露出撮影中フラグ＝１である場合なので、ここで多重露出撮影完了枚数が２未満であるということは、多重露出撮影完了枚数が１ということである。
【０１０４】
Ｓ６１２では、マイクロコンピュータ１２３は、多重中１枚目ＱＲ・再生処理を行う。多重中１枚目ＱＲ・再生処理は、多重露出撮影モードに移行してから撮影した１枚目の画像を確認するための表示処理であり、多重露出撮影モードへ移行する前に撮像された画像は表示しない。多重中１枚目ＱＲ・再生処理では、多重露出撮影モードに移行してから撮影した１枚目の画像を表示部材１１８に表示する。
【０１０５】
図８（ａ）に、多重露出撮影における、多重中１枚目ＱＲ・再生処理によって表示部材１１８に表示される表示例を示す（表示制御）。図８（ａ）は、前述の図３のメニュー項目３０２で多重露出撮影において画像を重ねる枚数を３枚、メニュー項目３０４でベース画像無しに設定した場合の表示例である。表示アイテム８０１は、多重露出撮影によって得られた画像であることを示すアイコンと、多重露出撮影予定枚数まで残り２枚であることを表している。表示アイテム８０２は、消去ボタン１９を押下することで処理選択ダイアログを表示させることができることを表すガイド表示である。画像８０３はまだ１枚しか撮影されていないために多重合成の行われていない画像である。ユーザーは表示された画像を見て、問題なければ多重露出撮影における次の撮影へ進む。なにか処理を行いたい場合は消去ボタン１９を押下して処理選択ダイアログを表示させる。処理選択ダイアログには、処理の選択肢として少なくとも「１枚戻る」、「保存して終了」、「保存しないで終了」が表示される。「一枚戻る」では、表示された１枚目の画像を消去して、図３のメニュー画面で設定した多重露出撮影にかかる現在の設定を維持して多重露出撮影をやり直すことができる。「保存して終了」では、この時点で多重露出撮影モードを終了させる。また、「保存しないで終了」では、表示した１枚目の画像を記録媒体１２０に記録することなく（あるいは記録媒体１２０から消去して）、この時点で多重露出撮影モードを終了させる。「保存して終了処理」あるいは「保存しないで終了処理」をした場合は、システムメモリ１３２に記録した多重露出撮影中フラグを０にし、多重露出撮影要否設定を「しない」に設定する。
【０１０６】
Ｓ６１３では、マイクロコンピュータ１２３は、多重中ＱＲ・再生処理を行う。多重中ＱＲ・再生処理は、多重露出撮影モードに移行してから取得した画像およびそれらの多重合成の具合を確認するための表示処理であり、ベース画像以外の多重露出撮影モードへ移行する前に撮像された画像は表示しない。
【０１０７】
図８（ｂ）に、多重露出撮影における、多重中ＱＲ・再生処理によって表示部材１１８に表示される表示例を示す（表示制御）。図８（ｂ）は、図８（ａ）と同様、前述の図３のメニュー項目３０２で多重露出撮影において画像を重ねる枚数を３枚、メニュー項目３０４でベース画像無しに設定した場合の表示例である。さらにこの例は、２枚目の撮影の後の表示例である。表示アイテム８０４が表す意味は図８（ａ）の表示アイテム８０１と同様であるが、多重露出撮影予定枚数が１枚減って残り１枚であることを表している。画像８０５は１枚目の画像と今回の撮影で得た２枚目の画像とを多重合成した画像である。これは、図４（ｂ）における表示用多重データＡ＋Ｂを表示したものである。表示用多重データは、ベース画像が設定されている場合はベース画像と、多重露出撮影モードに移行してから現在までに撮影した画像とをモードに応じて式（３）あるいは式（４）のように多重合成した多重合成画像を縮小したものである。すなわち、この時点で多重露出撮影を終了し、この時点までに取得した画像を用いて、記録媒体１２０に記録するために多重合成画像を生成する処理（保存して終了処理）を行って生成される多重合成画像と同じ合成比率で多重合成された画像である。ユーザーは表示された画像を見て、問題なければ多重露出撮影における次の撮影へ進む。なにか処理を行いたい場合は消去ボタン１９を押下して処理選択ダイアログを表示させる。処理選択ダイアログには、処理の選択肢として少なくとも「１枚戻る」、「保存して終了」、「保存しないで終了」が表示される。「一枚戻る」では、直前に撮影した１枚の画像だけを消去して、多重露出撮影を１枚戻ったところからやり直すことができる。「保存して終了」では、この時点で多重露出撮影を終了し、この時点までに取得した画像を用いて多重合成画像を生成して記録媒体１２０に記録する。「保存しないで終了」では、この時点までに取得した画像を用いた多重合成画像を記録媒体１２０に記録することなく、この時点で多重露出撮影モードを終了する。「保存して終了処理」あるいは「保存しないで終了処理」をした場合は、システムメモリ１３２に記録した多重露出撮影中フラグを０にし、多重露出撮影要否設定を「しない」に設定する。
【０１０８】
Ｓ６１４では、マイクロコンピュータ１２３は、システムメモリ１３２を参照して、多重露出撮影中フラグが１であるか否かを判定する。多重露出撮影中フラグが１である場合にはＳ６１５に進み、１でない場合にはＳ６１７へ進む。
【０１０９】
Ｓ６１５では、マイクロコンピュータ１２３は、途中終了イベントがあったか否かを判定する。途中終了イベントとは、多重露出撮影モードを途中で終了させるべきイベントであり、例えば以下のようなものがある。
・ユーザの操作により多重露出撮影要否設定を「しない」にするイベント
・ユーザによるメインＳＷ２０の操作、カード蓋２８の開き、電池蓋２９の開き。オートパワーオフ時間の経過などの電源がＯＦＦとなるイベント
・撮影設定の条件により多重露出撮影を継続できないような状態となるイベント
途中終了イベントがあった場合はＳ６１６へ進み、なかった場合はＳ６１７へ進む。
【０１１０】
Ｓ６１６では、マイクロコンピュータ１２３は、「保存して終了処理」を行う。この処理は前述したＳ６０６と同様の処理である。
【０１１１】
Ｓ６１７では、マイクロコンピュータ１２３は、撮影モードを変更する操作があったか否かを判定する。ここでの判定は、多重露出撮影要否設定を直接変更する操作ではなく、撮影モードダイヤル１４を回転させる操作があったか否かの判定である。撮影モードを変更する操作を受付けたと判定するとＳ６１８に進み、無かったと判定するとＳ６２１に進む。
【０１１２】
Ｓ６１８では、マイクロコンピュータ１２３は、撮影モードを変更する操作による変更先の撮影モードが、多重露出撮影モード処理を継続できる撮影モードとして予め定められた撮影モード（第１の撮影モード）であるか否かを判定する。撮影モードダイヤル１４の操作によって遷移できる撮影モードのうち、多重露出撮影モード処理を継続できる撮影モードには、以下の撮影モードがあるものとする。マニュアルモード、シャッター速度優先モード、絞り優先モード、プログラムＡＥモード、バルブモード。逆に、撮影モードダイヤル１４の操作によって遷移できる撮影モードのうち、多重露出撮影モード処理を継続できない撮影モード（第２の撮影モード）としては、以下の撮影モードがあるものとする。全自動モード、ストロボ発行禁止モード、クリエイティブ全自動モード、ポートレートモード、風景モード、クローズアップモード、スポーツモード、夜景ポートレートモード、動画モード。
【０１１３】
Ｓ６１８で、変更された撮影モードが、多重露出撮影モード処理を継続できる撮影モードであると判定した場合はＳ６１９に進み、そうでない場合はＳ６２０へ進む。
【０１１４】
Ｓ６１９では、マイクロコンピュータ１２３は、撮影モードダイヤル１４の操作に応じた撮影モードに切り替え、多重露出撮影モード処理を継続する。なおこの際、多重露出撮影要否設定、多重露出撮影中フラグ、多重露出撮影予定枚数、多重露出撮影完了枚数、書き込み済みファイル情報、ベース画像（設定されている場合）は変更せず維持する。
【０１１５】
Ｓ６２０では、マイクロコンピュータ１２３は、「保存して終了処理」を行う。この処理は前述したＳ６０６と同様の処理である。ただし、この時点で多重合成画像を生成するだけの画像が集まっていない場合には、多重合成画像の生成は行わない。「保存して終了処理」により、その後のＳ６２１でＮｏと判定され、多重露出撮影モード処理が撮影モードダイヤル１４の操作に応じて自動的に終了することになる。この際、多重露出撮影モード処理が自動的に終了したこと（多重露出撮影モードが解除されたこと）を表す表示を表示部材１１８に表示してもよい。多重露出撮影モードを終了すると、撮影モードダイヤル１４の操作に応じた撮影モードに切り替える。
【０１１６】
Ｓ６２１では、マイクロコンピュータ１２３は、システムメモリ１３２あるいは不揮発性メモリ１３０の多重露出撮影要否設定を参照し、多重露出撮影が「する」に設定されているか否かを判定する。「する」に設定されている場合はＳ６００に進んで処理を繰り返す。「しない」に設定されている場合は多重露出撮影モード処理を終了し、前述した図５のＳ５０２に進む。
【０１１７】
＜図７：多重露出撮影処理＞
図７に、前述した図６のＳ６０２の多重露出撮影処理のフローチャートを示す。図７の処理は、不揮発性メモリ１３０に記録されたプログラムを、システムメモリ１３２に展開してマイクロコンピュータ１２３が実行することで実現する。図７で行われる撮影を、後述のスルー画像を取得するための撮像と区別するために、本撮影と称する。
【０１１８】
Ｓ７０１では、マイクロコンピュータ１２３は、撮像素子１１２、ＡＤ変換器１１５がパワーセーブモードになっている場合は電源を供給する制御を行う。さらに露光の制御を行い、露光が完了するとＳ７０２で撮像素子１１２に蓄積された画像信号の読み出し、ＡＤ変換器１１５でデジタル信号へと変換する制御を行う。
【０１１９】
Ｓ７０３では、マイクロコンピュータ１２３は、Ｓ７０２で読み出した画像信号から現像データを生成するように映像信号処理回路１１６に指示する。生成された現像データは、図４で説明したように、バッファメモリ１２２に格納される。
【０１２０】
Ｓ７０４では、マイクロコンピュータ１２３は、Ｓ７０３で生成した現像データを映像信号処理回路１１６に圧縮させ、Ｓ７０５で画像ファイルとして記録媒体１２０へ記録する。この画像ファイルは合成されたものではなく、単体の元画像である。続いてＳ７０６で、システムメモリ１３２に保持した書き込み済みファイル情報に、Ｓ７０５で記録した画像ファイルの格納場所を示す情報を記録する。画像ファイルの格納場所を示す情報の代わりに、あるいは加えて、画像ファイルを特定する情報（ファイル名など）を記録してもよい。また、システムメモリ１３２に保持している多重露出撮影完了枚数に１を加算する。
【０１２１】
Ｓ７０７では、マイクロコンピュータ１２３は、ベース画像が有に設定されているか否かを判定する。ベース画像が有りである場合はＳ７０８に進む。ベース画像が無しに設定されている場合はＳ７１１に進む。
【０１２２】
Ｓ７０８では、マイクロコンピュータ１２３は、システムメモリ１３２を参照し、多重露出撮影完了枚数が２以上であるか否かを判定する。２未満、すなわち今回の撮影分のみの１である場合はＳ７０９へ進む。２以上である場合はＳ７１０へ進む。
【０１２３】
Ｓ７０９では、マイクロコンピュータ１２３は、ベース画像を記録媒体１２０から読み出してベース画像の現像データを取得し、ベース画像の現像データを映像信号処理回路１１６を用いて高精度化し、高精度データをバッファメモリ１２２に格納する。この処理はすなわち、ベース画像を図４（ｂ）における１枚目の撮影で得られた画像信号Ａ、今回の撮影によってＳ７０２で取得した画像データを図４（ｂ）における２枚目の撮影で得られた画像信号Ｂとみなした処理である。
【０１２４】
Ｓ７１０では、マイクロコンピュータ１２３は、前回の撮影で得られた現像データを映像信号処理回路１１６を用いて高精度化し、前回までに生成していた高精度データに加算した高精度データを生成して、バッファメモリ１２２に格納する。図４の例では、図４（ｃ）の３枚目の撮影の際に、２枚目の撮影で得られた現像データＢを高精度化し、２枚目の撮影の際に生成した高精度データＡに加算して高精度データＡ＋Ｂを生成し、バッファメモリ１２２に格納することに相当する。
【０１２５】
一方Ｓ７１１では、マイクロコンピュータ１２３は、システムメモリ１３２を参照して多重露出撮影完了枚数が２以上であるか否かを判定する。２以上であると判定するとＳ７１２に進み、２未満、すなわち今回の撮影分のみの１である場合はＳ７１８に進む。Ｓ７１１で多重露出撮影完了枚数が、今回の撮影分のみの１であると判定された場合のバッファメモリ１２２の状態は、図４（ａ）に示した状態である。
【０１２６】
Ｓ７１２では、マイクロコンピュータ１２３は、多重露出撮影完了枚数が２であるか否かを判定する。２でない、すなわち３以上である場合はＳ７１０へ進み、２である場合にはＳ７１３に進む。
【０１２７】
Ｓ７１３では、マイクロコンピュータ１２３は、前回の撮影で得られた現像データを映像信号処理回路１１６を用いて高精度化した高精度データを生成して、バッファメモリ１２２に格納する。図４の例では、図４（ｂ）の２枚目の撮影の際に、１枚目の撮影で得られた現像データＡを高精度化し、高精度データＡとしてバッファメモリ１２２に格納することに相当する。
【０１２８】
Ｓ７１４では、マイクロコンピュータ１２３は、Ｓ７０９、Ｓ７１０、Ｓ７１３のいずれかで生成した高精度データと、Ｓ７０３で生成した今回の撮影分の現像データとを映像信号処理回路１１６を用いて多重合成する。この時の多重合成では、図３のメニュー画面で設定された自動露出調整機能の設定に応じて、前述の式（３）あるいは式（４）に基づいて多重合成する。なお、Ｙｎ−１はＳ７０９、Ｓ７１０、Ｓ７１３のいずれかで生成した高精度データの輝度となる。また、ｙｎはＳ７０３で生成した今回の撮影分の現像データの輝度となる。多重合成して生成した画像を多重現像データとしてバッファメモリ１２２に格納する。
【０１２９】
Ｓ７１５では、マイクロコンピュータ１２３は、Ｓ７１４で生成した多重現像データを映像信号処理回路１１６を用いて縮小・圧縮し、表示用多重データとしてバッファメモリ１２２に格納する。
【０１３０】
Ｓ７１６では、クイックレビュー（ＱＲ）を行う設定となっているかを判定する。撮影直後にＱＲを行うか否かは、ユーザーの操作に応じて予め設定しておけるものとする。ＱＲを行うと設定されていた場合はＳ７１７に進み、多重中ＱＲ・再生処理を行う。多重中ＱＲ・再生処理は前述した図６のＳ６１３と同様の処理である。Ｓ７１６でＱＲを行わないと設定されていると判定された場合、及びＳ７１７の処理を終えた場合は多重露出撮影処理を終了し、前述の図６のＳ６０３へ進む。
【０１３１】
一方Ｓ７１８では、クイックレビュー（ＱＲ）を行う設定となっているかを判定する。ＱＲを行うと設定されていた場合はＳ７１９に進み、多重中１枚目ＱＲ・再生処理を行う。多重中１枚目ＱＲ・再生処理は前述した図６のＳ６１２と同様の処理である。Ｓ７１８でＱＲを行わないと設定されていると判定された場合、及びＳ７１９の処理を終えた場合は多重露出撮影処理を終了し、前述の図６のＳ６０３へ進む。
【０１３２】
＜図９、図１０：多重露出撮影モード処理（ＬＶ）＞
図９、図１０に、前述した図５のＳ５１２、図６のＳ６３０のライブビューでの多重露出撮影モード処理（ＬＶ）のフローチャートを示す。図９、図１０の処理は、不揮発性メモリ１３０に記録されたプログラムを、システムメモリ１３２に展開してマイクロコンピュータ１２３が実行することで実現する。
【０１３３】
Ｓ９００１では、被写体光の光束を撮像素子１１２へと導くように主ミラー１０５を上方に跳ね上げるミラーアップを行う。またシャッタ駆動回路１１１を制御してシャッタ１１０をあける制御をおこなう。
【０１３４】
Ｓ９００２では、スルー画像に多重合成するための合成用画像データを取得する。バッファメモリ１２２に多重現像データが保持されている場合はそれを合成用画像データとして取得する。多重現像データは、１組の多重露出撮影で現時点までに得られた画像（ベース画像がある場合はベース画像を含む）を多重合成したものである。バッファメモリ１２２に多重現像データが保持されていない場合には、バッファメモリ１２２に現像データが保持されていればそれを合成用画像データとして取得する。バッファメモリ１２２に現像データも保持されていない場合には、ベース画像が設定されていれば記録媒体１２０からベース画像を読み出して合成用画像データとして取得する。ベース画像も設定されていなければ、スルー画像に多重合成すべき画像がないので合成用画像データは取得しない。
【０１３５】
Ｓ９００３では、Ｓ９００２で取得した合成用画像データに対し、多重合成のための前処理を施す。前処理としては例えば、前述した高精度化などがある。また、ライブビュー表示での多重表示は表示部材１１８か外部インターフェース１２１を介した外部モニタでの全画面表示（１倍）でしか行わないので、それに必要な画素数に合成用画像データをリサイズする。これにより、過大な画素数を処理することによって処理負荷が過大にかかることを防止する。
【０１３６】
Ｓ９００４では、撮像素子１１２、ＡＤ変換器１１５がパワーセーブモードになっている場合は電源を供給し、ライブビュー用に初期設定を行う。
【０１３７】
Ｓ９００５では、マイクロコンピュータ１２３は、多重露出撮影モードでのライブビュー表示の表示開始処理（多重ＬＶ表示開始処理）を行う。多重ＬＶ表示開始処理については図１３を用いて後述する。
【０１３８】
Ｓ９００６では、マイクロコンピュータ１２３は、拡大ボタン２３が押下されたか否かを判定する。拡大ボタン２３が押下されたと判定するとＳ９００７に進み、押下されていない場合はＳ９００８に進む。Ｓ９００７では、拡大ボタン２３の押下に応じて拡大モードを変更する。すなわち、Ｓ９００６で拡大ボタン２３が押下されたときに、システムメモリ１３２に保持された拡大モードフラグを参照し、拡大モードオフ（拡大しない）であれば、拡大モード（５倍拡大）に変更する。拡大モード（５倍拡大）であれば拡大モード（１０倍拡大）に変更する。拡大モード（１０倍拡大）であれば拡大モードオフに変更する。拡大モード（５倍拡大）に変更した場合は、ライブビュー表示における多重表示をやめ、スルー画像だけを全画面表示（スルー画像全体が表示領域全体に収まる最大のサイズでの表示）の５倍に拡大して表示する。拡大モード（１０倍拡大）に変更した場合は、スルー画像だけを全画面表示の１０倍に拡大して表示する。拡大モードオフ（拡大しない）に変更した場合は、現在設定されている表示種別Ｇｓでの等倍表示を再開する。変更した結果の拡大モードの情報を拡大モードフラグとしてシステムメモリ１３２に記録する、
Ｓ９００８では、多重ライブビュー表示処理を行う。多重ライブビュー表示処理については図１１を用いて後述する。
【０１３９】
Ｓ９００９では、マイクロコンピュータ１２３は、撮影条件を変更する操作が行われたか否かを判定する。撮影条件を変更する操作が行われた場合はＳ９０１０で操作に応じて撮影条件を変更する（撮影条件設定）。ユーザー操作に応じて変更可能な撮影条件には、少なくともシャッター速度（Ｔｖ値）、絞り値（Ａｖ値）、露出補正、ＩＳＯ感度、ホワイトバランスなどがある。なお、これらのうちユーザー操作に応じて変更可能な撮影条件は、撮影モードダイヤル１４で設定されている撮影モードに応じて異なる。
【０１４０】
Ｓ９０１１では、情報表示ボタン１６の押下による表示種別変更操作があったか否かを判定する。情報表示ボタン１６が押下されたと判定するとＳ９０１２で、多重露出撮影モード中の表示種別変更処理を行う。多重露出撮影モード中の表示種別変更処理については図１４を用いて後述する。
【０１４１】
続いてＳ９０１３（図１０）では、マイクロコンピュータ１２３は、ＳＷ２がＯＮであるか否かを判定し、オンであればＳ９０１４へ進み、ＯＮで無ければＳ９６０７に進む。
【０１４２】
Ｓ９０１４では、多重露出撮影処理を行う。多重露出撮影処理は、図６のＳ６０２，および図７で説明した処理と同様の処理であり、この処理により本撮影が行われ、多重露出撮影完了枚数が１増える。
【０１４３】
Ｓ９０１５では、システムメモリ１３２に保持している拡大モードフラグをＯＦＦに初期化する。これによって、Ｓ８００７での多重露出撮影処理の前に、拡大モードでライブビュー表示を行っていた場合にはスルー画像だけでの拡大表示をやめ、現在設定されている表示種別Ｇｓでの等倍表示に切り替わる。
【０１４４】
続くＳ９６０３、Ｓ９６０４は、前述した図６のＳ６０３、Ｓ６０４と同様の処理なので説明を省略する。
【０１４５】
Ｓ９６０５では、マイクロコンピュータ１２３は、多重露出撮影完了枚数と多重露出撮影予定枚数が等しくなったか否かを判定する。等しくなったと判定した場合はＳ９６０６に進み、そうでない場合はＳ９０３０に進む。
【０１４６】
Ｓ９６０６では、マイクロコンピュータ１２３は、保存して終了処理を行う。保存して終了処理は、前述した図６のＳ６０６と同様の処理である。保存して終了処理を行うとＳ９０２０に進み、多重露出撮影終了後のライブビュー表示開始処理を行う。多重露出撮影終了後のライブビュー表示開始処理は、図１５を用いて後述する。多重露出撮影終了後のライブビュー表示開始処理を終えると多重露出撮影モード処理（ＬＶ）を終了し、前述した図５のＳ５０２に進む。
【０１４７】
一方、Ｓ９６０５で多重露出撮影完了枚数と多重露出撮影予定枚数が等しくなっていないと判定すると、本撮影で中断したライブビュー表示を再開するために、Ｓ９０３０で多重ＬＶ表示開始処理を行う。多重ＬＶ表示開始処理は前述したＳ９００５と同様の処理であり、詳細は図１３を用いて後述する。
【０１４８】
Ｓ９６０７〜Ｓ９６１６、及びＳ９６１７〜Ｓ９６２０については、前述した図６のＳ６０７〜Ｓ６１６，Ｓ６１７〜Ｓ６２０とそれぞれ同様の処理であるので説明を省略する。
【０１４９】
Ｓ９６１６とＳ９６２０での保存して終了処理を行うと、Ｓ９０３１、Ｓ９０３２でそれぞれ多重露出撮影終了後のライブビュー表示開始処理を行う。多重露出撮影終了後のライブビュー表示開始処理はＳ９０２０と同様の処理であり、詳細は図１５を用いて後述する。
【０１５０】
Ｓ９０４０では、マイクロコンピュータ１２３は、システムメモリ１３２あるいは不揮発性メモリ１３０の多重露出撮影要否設定を参照し、多重露出撮影が「する」に設定されているか否かを判定する。「する」に設定されている場合はＳ９０４１に進み、「しない」に設定されている場合は多重露出撮影モード処理（ＬＶ）を終了し、前述した図５のＳ５０２に進む。
【０１５１】
Ｓ９０４１では、マイクロコンピュータ１２３は、ライブビュー表示を終了する指示があったか否かを判定する。具体的には、ライブビューボタン２７が押下されたか否かの判定である。ライブビューボタン２７が押下された（ライブビュー表示を終了する指示があった）と判定した場合は、Ｓ９０４２に進み、主ミラー１０５を、光束をファインダ部へと導くよう反射させる通常時の位置に戻し（ミラーダウン）、図６のＳ６００に進む。ライブビューボタン２７が押下されていない場合は図９のＳ９００６に進み、多重露出撮影モード処理（ＬＶ）を継続する。
【０１５２】
＜図１１：多重ライブビュー表示処理＞
図１１に、前述した図９のＳ９００８の多重ライブビュー表示処理のフローチャートを示す。図１１の処理は、不揮発性メモリ１３０に記録されたプログラムを、システムメモリ１３２に展開してマイクロコンピュータ１２３が実行することで実現する。また図１２（ａ）にＳ９００２で取得した合成用画像データの例を示す。図１２（ｂ）に、スルー画像のみの例を示す。多重ライブビュー表示処理では、図１２（ａ）に示した合成用画像データと、図１２（ｂ）に示したスルー画像を、シミュレーションライブビューであるか否かに応じて異なる合成比率で多重合成した画像をライブビュー表示として表示する。なお、図１２（ａ）は合成用画像データの例、図１２（ｂ）はスルー画像のみの例であるが、表示部材１１８に表示する際には、表示種別Ｇｓに応じた各種情報が重畳されて表示される。
【０１５３】
Ｓ１１０１では、マイクロコンピュータ１２３は、システムメモリ１３２に保持された拡大モードフラグを参照し、現在拡大モードである否かを判定する。拡大モード（５倍拡大）または拡大モード（１０倍拡大）である場合は拡大モードであると判定し、Ｓ１１１８に進む。拡大モードオフ（拡大しない）である場合は拡大モードではないと判定し、Ｓ１１０２に進む。
【０１５４】
Ｓ１１０２では、現在の表示種別Ｇｓが６（多重ライブビュー表示）であるか否かを判定する。現在の表示種別Ｇｓが６であると判定するとＳ１１０３に進み、そうでない場合はＳ１１１８に進む。
【０１５５】
Ｓ１１０３では、絞り込みボタン１５が押下されているか否かを判定する。絞り込みボタン１５が押下されている（押下中）であると判定するとＳ１１１０に進み、絞り込みボタン１５が押下されていない（すなわち離されている）と判定した場合はＳ１１０４に進む。
【０１５６】
Ｓ１１０４では、撮像素子１１２、絞り駆動回路１０４を制御し、スルー画像取得用の通常露光を行い、スルー画像を取得する。スルー画像取得用の通常露光では、ＳＷ２での本撮影用に設定された絞り値に関わらず、ライブビュー表示でのピントの確認をしやすくするために、絞り１０３を開放（絞り値を最小）にして被写界深度を浅くする。そして、見やすい明るさにするために撮像素子１１２での電荷蓄積時間と感度（ＩＳＯ感度）を調整した露光を行う。
【０１５７】
Ｓ１１０５では、Ｓ１１０４の露光で取得したスルー画像に現像処理を施す。
【０１５８】
Ｓ１１０６では、Ｓ１１０５で現像したスルー画像と、前述した図９のＳ９００３で前処理した合成用画像データとを、多重ライブビュー用合成比率で多重合成する。多重ライブビュー用合成比率は、前述した式（５）で示した合成比率である。すなわち、スルー画像の合成比率をＭ（Ｍは０．５以上）、合成用画像データの合成比率を１−Ｍとした合成比率である。これにより、スルー画像を撮影済みの画像と多重合成する多重ライブビュー表示において、撮影済みの画像（合成用画像データ）よりも、これから撮影するスルー画像を視認しやすくする。
【０１５９】
Ｓ１１０７では、Ｓ１１０６で合成したスルー画像と撮影済みの画像（合成用画像データ）との多重合成画像を、出力先（表示部材１１８または外部モニタ）に合わせてリサイズする。例えば、出力先がカメラ本体の表示部材１１８である場合は横幅７２０画素、縦４８０画素にリサイズする。出力先が外部モニタでハイビジョンモニタである場合は横幅１６２０画素、縦１０８０画素にリサイズする。また、上下をトリミングした後にリサイズして横幅１９２０画素、縦１０８０画素にしてもよい。
【０１６０】
Ｓ１１０８では、Ｓ１１０７でリサイズした多重合成画像を表示部材１１８または外部モニタに表示する（多重ライブビュー表示）。多重ライブビュー表示の表示例を図１２（ｃ）に示す。なおこの例では、簡単のために図１６の表示種別６（多重ライブビュー表示）の例で示した情報表示は省いている。図１２（ｃ）では、前述のＳ１１０６での合成処理によって、撮影済みの画像は薄く、スルー画像は相対的にはっきりと表示されており、ユーザーがスルー画像を特に視認しやすいようになっている。
【０１６１】
Ｓ１１０９では、Ｓ１１０４で取得したスルー画像に基づいて、次フレームでのスルー画像の取得（撮像）に用いる露光量を算出し、絞り値は開放として、撮像素子１１２での電荷蓄積時間と感度を設定する。
【０１６２】
一方、Ｓ１１０３で絞り込みボタン１５が押下中であると判定した場合は、本撮影によって実際に生成される多重合成画像のシミュレーション表示を行うべく、Ｓ１１１０に進む。
【０１６３】
Ｓ１１１０では、ＳＷ２での本撮影用に設定された撮影条件としての絞り値（ユーザが設定した絞り値あるいは、プログラム線図に基づき自動的に算出された絞り値）で絞り１０３を駆動する。絞りを本撮影用に設定された絞り値に駆動することで、スルー画像の被写界深度を本撮影で撮影される画像の被写界と同じにすることができ、ボケ味の具合などを確認することができる。
【０１６４】
Ｓ１１１１では、本撮影用に設定された現在の撮影条件での本撮影で得られる画像の明るさに近い明るさになるように、本撮影用に設定された絞り値を固定して、電荷蓄積時間及び感度を調整する（シミュレーション調整）。まず、電荷蓄積時間を、スルー画像取得用の電荷蓄積時間での範囲内で、撮影条件として設定されているシャッター速度に近くなるように設定する。そして電荷蓄積時間の設定だけでは調整できない分を、感度の調整で補う。例えば、スルー画像を１／３０秒毎に更新する場合には、スルー画像取得用の電荷蓄積は１／３０秒より長くは出来ない。そのため、撮影条件としてのシャッター速度の設定が１／３０秒より長かった場合には、スルー画像取得用の電荷蓄積時間は設定可能な最長の時間とし、足りない分を感度の増幅で補う。
【０１６５】
Ｓ１１１２では、Ｓ１１１０、Ｓ１１１１で設定した絞り値、電荷蓄積時間、感度での露光を行ってスルー画像を取得する（シミュレーション露光）。
【０１６６】
Ｓ１１１３では、Ｓ１１１２の露光で取得したスルー画像に現像処理を施す。
【０１６７】
Ｓ１１１４では、Ｓ１１１３で現像したスルー画像と、前述した図９のＳ９００３で前処理した合成用画像データとを、シミュレーションライブビュー用合成比率で多重合成する。シミュレーションライブビュー用合成比率は、前述した式（６）または（７）で示した合成比率である。シミュレーションライブビュー表示を見ることにより、現在の撮影条件で本撮影を行うとどのような多重合成画像が生成されるのかを本撮影の前に確認することが可能となる。
【０１６８】
Ｓ１１１５では、Ｓ１１１４で合成したスルー画像と撮影済みの画像（合成用画像データ）との多重合成画像を、出力先（表示部材１１８または外部モニタ）に合わせてリサイズする。
【０１６９】
Ｓ１１１６では、Ｓ１１１５でリサイズした多重合成画像を表示部材１１８または外部モニタに表示する（シミュレーションライブビュー表示）。シミュレーションライブビューの表示例を図１２（ｄ）に示す。図１２（ｄ）は、撮影条件と自動露出調整機能の設定状態を反映した画像であるため、必ずしもスルー画像の視認性が高いわけではないが、本撮影を行って生成される多重合成画像がどのようになるのかを確認することができる。また、図１２（ｄ）は撮影条件が反映された表示であるため、ダイアログ１１０１を表示し、現在設定されている撮影条件をユーザーに通知する。図１２（ｄ）のダイアログ１１０１には、左から順にシャッター速度（Ｔｖ値）、絞り値（Ａｖ値）、露出補正、残り撮影可能枚数、ＩＳＯ感度、電池残量が表示されている。ユーザーはこのダイアログ１１０１とシミュレーションライブビューの表示を見ることで、撮影条件の効き具合を確認しながら撮影条件を変更することができる（前述したＳ９００９，Ｓ９０１０の処理により変更できる）。
【０１７０】
Ｓ１１１７では、Ｓ１１１２で取得したスルー画像に基づいて、次フレームでのスルー画像の取得（撮像）に用いる露光量を算出し、絞り値は撮影条件として設定された絞り値とし、撮像素子１１２での電荷蓄積時間と感度を設定する。
【０１７１】
一方、拡大モード中またはスルー画像だけでのライブビューモードの場合に行うＳ１１１８，Ｓ１１１９，Ｓ１１２０の処理は、それぞれＳ１１０４、Ｓ１１０５、Ｓ１１０７の処理と同様なので説明を省略する。
【０１７２】
Ｓ１１２１では、多重合成することなく、Ｓ１１２０でリサイズされたスルー画像だけを表示部材１１８または外部モニタに表示する。ただし、各種情報表示やアイコン表示は現在選択されている表示種別Ｇｓに従って重畳表示される。
【０１７３】
Ｓ１１２２の処理は、Ｓ１１０９と処理と同様なので説明を省略する。
【０１７４】
このように、拡大モード中またはスルー画像だけでのライブビューモードの場合は、ライブビューにおいては多重合成を行わず、スルー画像だけが表示される。なお、スルー画像と撮影済みの多重現像画像との合成比率を１００：０としてＳ１１０４〜Ｓ１１０９の処理を行うものとしてもよく、実質的に同義である。
【０１７５】
Ｓ１１０９，Ｓ１１１７，Ｓ１１２２の処理を終えると図９のＳ９００９に進む。
【０１７６】
＜図１３：多重ＬＶ表示開始処理＞
図１３に、前述した図９のＳ９００５、及び図１０のＳ９０３０の多重ＬＶ表示開始処理のフローチャートを示す。図１３の処理は、不揮発性メモリ１３０に記録されたプログラムを、システムメモリ１３２に展開してマイクロコンピュータ１２３が実行することで実現する。
【０１７７】
Ｓ１３０１では、マイクロコンピュータ１２３は、システムメモリ１３２に記録された現在の表示種別Ｇｓが６である（多重ライブビュー表示中である）か否かを判定し、６である場合にはＳ１３０７に進み、そうでない場合はＳ１３０２に進む。
【０１７８】
Ｓ１３０２では、マイクロコンピュータ１２３は、ベース画像の設定があるか否かを判定する。ベース画像の設定がある場合はＳ１３０４に進み、ベース画像の設定が無い場合はＳ１３０３に進む。
【０１７９】
Ｓ１３０３では、マイクロコンピュータ１２３は、多重露出撮影中フラグが１であるか否かを判定する。多重露出撮影中フラグが１であればＳ１３０４に進み、そうでない場合はＳ１３０７に進む。なお、多重露出撮影中フラグは図６のＳ６０３、Ｓ６０４で説明したとおり、多重露出撮影完了枚数が１枚になった際に１となる。すなわち多重露出撮影中フラグが１であるということは、多重露出撮影完了枚数が１枚以上であることを示している。
【０１８０】
Ｓ１３０４では、マイクロコンピュータ１２３は、表示種別が６（多重ライブビュー表示）からユーザーの操作に応じて他の表示種別に変更された状態であるか否かを示すフラグＦｍｏｖが１であるか否かを判定する。１であると判定した場合はＳ１３０７に進み、そうでない場合はＳ１３０４に進む。なお、Ｆｍｏｖが１であるということは、今回の１組の多重露出撮影において一度多重ライブビュー表示をした後であることを示している。
【０１８１】
Ｓ１３０５では、現在の表示種別Ｇｓを、Ｇｒとしてシステムメモリ１３２に保存（記録）する。
【０１８２】
Ｓ１３０６では、表示種別Ｇｓを自動的に６（多重ライブビュー表示）に変更して、ライブビュー表示を開始する。
【０１８３】
一方Ｓ１３０７では、現在の表示種別Ｇｓでライブビュー表示を行う。すなわち表示種別は変更しない。
【０１８４】
このように、ベース画像有りか、多重露出撮影完了枚数が１枚以上になり、かつ今回の１組の多重露出撮影において一度も多重ライブビュー表示をしていない場合（Ｓ１３０４Ｎｏ）、自動的に表示種別を多重ライブビュー表示に変更する（Ｓ１３０６）。ベース画像がなく、多重露出撮影完了枚数も０枚である場合は、まだ多重ライブビュー表示においてスルー画像に多重すべき画像がない状態である。その状態では、仮に多重ライブビュー表示（表示種別６）に遷移しても多重したライブビュー画像は表示されない。それにも関わらず表示種別６に変更してしまっても、意味がないばかりか、変更前の表示種別で表示されていた情報表示が見れなくなってしまう。また、多重ライブビュー表示（表示種別６）で表示される情報が表示されているにも関わらず、画像は多重されたものではないので、ユーザーが混乱する可能性もある。これに対し図１３の処理によれば、多重露出撮影要否設定を「する」にして多重露出撮影モード処理（ＬＶ）を開始しても、スルー画像に重畳すべき画像が無い場合には表示種別は変更しない。よって無意味に表示される情報が変更されてしまうことがない。また、スルー画像に重畳すべき画像がベース画像として最初からある場合と、ベース画像が無くて多重露出撮影での最初の撮影により多重合成すべき画像が得られた場合には自動的に表示種別を変更して多重ライブビュー表示を開始する。これによって、多重露出撮影に好適な表示種別に変更する操作をユーザーが行う手間を省くことができる。
【０１８５】
＜図１４：多重露出撮影モード中の表示種別変更処理＞
図１４に、前述した図９のＳ９０１２の多重露出撮影モード中の表示種別変更処理のフローチャートを示す。図１３の処理は、不揮発性メモリ１３０に記録されたプログラムを、システムメモリ１３２に展開してマイクロコンピュータ１２３が実行することで実現する。
【０１８６】
Ｓ１４０１では、マイクロコンピュータ１２３は、変更前の表示種別Ｇｓが６（多重ライブビュー表示）であるか否かを判定する。Ｇｓ＝６であると判定するとＳ１４０２に進み、Ｇｓ＝６でないと判定するとＳ１４０３に進む。
【０１８７】
Ｓ１４０２では、マイクロコンピュータ１２３は、Ｆｍｏｖ＝１として、表示種別が多重ライブビュー表示から他の表示種別にユーザの操作に応じて変更された旨を記録する。
【０１８８】
Ｓ１４０３では、マイクロコンピュータ１２３は、変更前の表示種別Ｇｓが５（水準器表示）であるか否かを判定する。Ｇｓ＝５でないと判定するとＳ１４０４にすすみ、Ｇｓに１を追加して次の順番の表示種別に変更する。Ｇｓ＝５であると判定するとＳ１４０５に進む。
【０１８９】
Ｓ１４０５では、マイクロコンピュータ１２３は、Ｆｍｏｖ＝１であるか否かを判定する。Ｆｍｏｖ＝１であるということは、今回の多重露出撮影においてＧｓ＝６だったことがあるということを示している。また、Ｇｓ＝６への遷移が許可される状態になってから最初にＧｓ＝６となるのは、図１３で前述したとおり自動的な制御によるものであるので、現在がＧｓ＝６に遷移できる状態であればＦｍｏｖは必ず１である。すなわち、このＳ１４０５でのＦｍｏｖ＝１であるか否かを判定することで、現在の動作状態がＧｓ＝６に遷移出来る状態であるか否かを判別することができる。Ｆｍｏｖ＝１であると判定するとＳ１４０６に進み、Ｆｍｏｖ＝１でないと判定するとＳ１４０７に進む。
【０１９０】
Ｓ１４０６では、マイクロコンピュータ１２３は、表示種別Ｇｓを６に変更する。これにより、図１７で説明した（ｂ）の切り替えパターンが実現される。
【０１９１】
Ｓ１４０７では、マイクロコンピュータ１２３は、表示種別Ｇｓを１に変更する。
【０１９２】
＜図１５：多重露出終了後のＬＶ表示開始処理＞
図１４に、前述した図９のＳ９０２０、Ｓ９０３０，Ｓ９０３２の多重露出終了後のＬＶ表示開始処理のフローチャートを示す。図１５の処理は、不揮発性メモリ１３０に記録されたプログラムを、システムメモリ１３２に展開してマイクロコンピュータ１２３が実行することで実現する。
【０１９３】
Ｓ１５０１では、マイクロコンピュータ１２３は、現在の表示種別Ｇｓが６であるか否かを判定する。Ｇｓ＝６である場合はＳ１５０２に進み、そうでない場合はＳ１５０５に進む。
【０１９４】
Ｓ１５０２では、マイクロコンピュータ１２３は、Ｆｍｏｖ＝１であるか否かを判定する。Ｆｍｏｖ＝１である場合にはＳ１５０３に進み、そうでない場合にはＳ１５０４に進む。
【０１９５】
Ｓ１５０３では、表示種別Ｇｓを１としてライブビュー表示を行う。この場合、現在は多重ライブビュー表示であるためこれを解除したいが、解除した結果、多重露出撮影モード処理（ＬＶ）を開始した際の表示種別Ｇｒに戻すべきか、現在の多重ライブビュー表示の直前に選択されていた表示種別に戻すべきかの判断が出来ない。そのため予め定められた表示種別１に変更している。
【０１９６】
Ｓ１５０４では、Ｇｒとして保存された表示種別に変更してライブビュー表示を行う。これにより、自動的に多重ライブビュー表示に変更する直前の表示種別に戻るため、ユーザーは元々選択していた表示種別に戻すための操作をする必要がなくなる。
【０１９７】
Ｓ１５０５では、現在選択されている表示種別を維持してライブビュー表示を行う。
【０１９８】
このように、図１５の処理によれば、多重露出撮影が終了すると、多重ライブビュー表示（表示種別６）であった場合には自動的にこれを解除し、その前のユーザーの操作状態に応じた好適な表示種別に変更することができる。
【０１９９】
以上説明したように、本発明によれば、多重露出撮影モードに設定され、かつ、スルー画像に対して多重合成する画像が存在する場合に、自動的に多重露出撮影モード用の表示種別での情報表示に変更する。これによって、ユーザーにとって多重露出撮影モード用の表示種別に変更する意味のあるタイミングで、ユーザに操作の手間をかけることなく、多重露出撮影モード用の表示種別に変更することができる。また、多重露出撮影モードの設定が解除されると、表示種別を、多重露出撮影モード用の表示種別から他の表示種別に自動的に変更する。これによって、多重露出撮影モード用の表示種別での情報表示が好適でなくなったタイミングで、ユーザーに操作の手間をかけることなく好適な表示種別に変更することができる。このように、本発明によれば、多重露出撮影において、状況に応じてより好適に情報表示を行うことができる。
【０２００】
なお、上述した実施の形態では、現像データを用いて多重合成を行う例を説明したが、現像する前のＲＡＷ画像データを用いて多重合成を行ってもよい。
【０２０１】
また、マイクロコンピュータ１２３の制御は１つのハードウェアが行ってもよいし、複数のハードウェアが処理を分担することで、装置全体の制御を行ってもよい。
【０２０２】
さらに、本発明をその好適な実施形態に基づいて詳述してきたが、本発明はこれら特定の実施形態に限られるものではなく、この発明の要旨を逸脱しない範囲の様々な形態も本発明に含まれる。また、上述した各実施形態は本発明の一実施形態を示すものにすぎず、各実施形態を適宜組み合わせることも可能である。
【０２０３】
また、上述した実施形態においては、本発明をデジタルカメラに適用した場合を例にして説明したが、これはこの例に限定されず、撮像手段を有する撮像装置であれば適用可能である。すなわち、本発明はデジタルカメラ、デジタルビデオカメラ、カメラ付のパーソナルコンピュータやＰＤＡ、カメラ付携帯電話端末やカメラ付の音楽プレーヤー、カメラ付ゲーム機、カメラ付電子ブックリーダーなどに適用可能である。
【０２０４】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005762115.tif 000002
【図２】
0005762115.tif 000003
【図３】
0005762115.tif 000004
【図４】
0005762115.tif 000005
【図５】
0005762115.tif 000006
【図６】
0005762115.tif 000007
【図７】
0005762115.tif 000008
【図８】
0005762115.tif 000009
【図９】
0005762115.tif 000010
【図１０】
0005762115.tif 000011
【図１１】
0005762115.tif 000012
【図１２】
0005762115.tif 000013
【図１３】
0005762115.tif 000014
【図１４】
0005762115.tif 000015
【図１５】
0005762115.tif 000016
【図１６】
0005762115.tif 000017
【図１７】
0005762115.tif 000018